(57)【特許請求の範囲】
【請求項１】
第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従ってネットワークインフラストラクチャ機器と通信するためにワイヤレス通信システムにおいて端末デバイスを動作させる方法であって、前記端末デバイスが、第２の無線アクセス技術に従って通信するために前記第２の周波数帯域内の無線リソースを使用するようにも動作可能であり、前記方法が、
前記第１の無線アクセス技術に従って前記ネットワークインフラストラクチャ機器と通信するために前記端末デバイスが使用するための前記第２の周波数帯域内の無線リソースの構成の表示を前記ネットワークインフラストラクチャ機器から受信することと、
前記第２の無線アクセス技術に従って通信するために前記端末デバイスが使用するための前記第２の周波数帯域内の無線リソースの構成を確立することと、
前記第１の無線アクセス技術に従って通信するために前記端末デバイスが使用するように構成された前記無線リソースと、前記第２の無線アクセス技術に従って通信するために前記端末デバイスが使用するように構成された前記無線リソースとに重複があるかどうかを判定し、重複がある場合、重複があることを表示するために、前記ネットワークインフラストラクチャ機器にシグナリングを送信することと
を含む方法。
【請求項２】
重複があることを表示するために前記シグナリングを前記ネットワークインフラストラクチャ機器に送信することに応答して、前記第１の無線アクセス技術に従って前記ネットワークインフラストラクチャ機器と通信するために前記端末デバイスが使用するための前記第２の周波数帯域内の無線リソースの更新された構成の表示を前記ネットワークインフラストラクチャ機器から受信することをさらに含む請求項１に記載の方法。
【請求項３】
前記更新された構成に関連する前記無線リソースが、前記重複があることの表示が前記ネットワークインフラストラクチャ機器に送信されることに関する無線リソースを含むかどうかを判定し、そうである場合、前記更新された構成を無効な構成またはサポートされていない構成として分類することをさらに含む請求項２に記載の方法。
【請求項４】
前記更新された構成に関連する前記無線リソースが、前記重複があることの表示が前記ネットワークインフラストラクチャ機器に送信されることに関する無線リソースを含むかどうかを判定し、そうである場合、前記セカンダリコンポーネントキャリアに関して無線リソース制御、ＲＲＣ、アイドルモードに戻ることをさらに含む請求項２に記載の方法。
【請求項５】
前記第１の無線アクセス技術に従って前記ネットワークインフラストラクチャ機器と通信するために前記端末デバイスが使用するための前記第２の周波数帯域内の無線リソースの前記構成がもはや無効であることの表示を前記ネットワークインフラストラクチャ機器から受信することをさらに含む請求項１に記載の方法。
【請求項６】
重複があることを表示するための前記ネットワークインフラストラクチャ機器への前記シグナリングが、前記重複が該当することに関する前記無線リソースの表示に関連する、請求項１に記載の方法。
【請求項７】
前記端末デバイスが、前記第１の無線アクセス技術とは異なるいくつかの異なる無線アクセス技術に従って通信するために前記第２の周波数帯域内の無線リソースを使用するように動作可能であり、重複があることを表示するための前記ネットワークインフラストラクチャ機器への前記シグナリングが、前記重複が決定されたことに関する前記第２の無線アクセス技術の表示をさらに含む、請求項１に記載の方法。
【請求項８】
重複があることを表示するための前記ネットワークインフラストラクチャ機器に送信された前記シグナリングが、無線リソース制御、ＲＲＣ、シグナリングを含む、請求項１に記載の方法。
【請求項９】
前記端末デバイスが、あらかじめ定義されたフォーマットを有する周波数間デバイス内共存、ＩＤＣ、メッセージを使用して前記端末デバイスによってサポートされる異なる無線アクセス技術に関連する異なる周波数間で生じる周波数間干渉の可能性を示すために、前記ネットワークインフラストラクチャ機器にシグナリングを送信するように動作可能であり、重複があることを表示するために前記ネットワークインフラストラクチャ機器に送信された前記シグナリングが、周波数間デバイス内共存、ＩＤＣ、メッセージフォーマットに準拠する、請求項１に記載の方法。
【請求項１０】
重複があることを表示するために前記ネットワークインフラストラクチャ機器に送信された前記シグナリングが、前記メッセージ内で識別される無線リソースに関して重複があるかどうかを表示するための値に選択的に設定された情報要素を含む、あらかじめ定義された周波数間デバイス内共存、ＩＤＣ、メッセージフォーマットに準拠するメッセージを含む、請求項９に記載の方法。
【請求項１１】
前記情報要素が、前記メッセージ内で識別される無線リソースに関して重複があるかどうかを示すためのものである、請求項１０に記載の方法。
【請求項１２】
前記情報要素が、前記端末デバイスによってサポートされる異なる無線アクセス技術に関連する異なる周波数間で生じる潜在的な周波数間干渉の態様を示すことに関連し、重複する場合、前記情報要素が潜在的な周波数間干渉の態様を示すために使用されるときに使用される前記値とは異なる値に設定される、請求項１０に記載の方法。
【請求項１３】
あらかじめ定義された周波数間ＩＤＣメッセージフォーマットによる、前記情報要素が関連する潜在的な周波数間干渉の前記態様が、前記異なる無線アクセス技術間の干渉の方向の表示である、請求項１２に記載の方法。
【請求項１４】
重複があることを表示するための前記ネットワークインフラストラクチャ機器に送信された前記シグナリングが、前記第１の無線アクセス技術に従って通信するために前記端末デバイスが使用するように構成された前記無線リソースに関するチャネル品質インジケータ、ＣＱＩ、メッセージを含み、前記ＣＱＩメッセージの所定の値が、前記ＣＱＩメッセージが該当する前記無線リソースに関して重複があることを表示するように選択される、請求項１に記載の方法。
【請求項１５】
前記端末デバイスが、第１の無線アクセス技術による前記ネットワークインフラストラクチャ機器との通信のための無線リソースの前記構成の前記表示を前記ネットワークインフラストラクチャ機器から受信することに応答して開始される監視スケジュールに従って、前記異なる構成による無線リソースに重複があるかどうかを判定する、請求項１に記載の方法。
【請求項１６】
前記第１の無線アクセス技術に従って前記ネットワークインフラストラクチャ機器と通信するために前記端末デバイスが使用するための前記第２の周波数帯域内の無線リソースの少なくとも１つのさらなる構成の少なくとも１つのさらなる表示を前記ネットワークインフラストラクチャ機器から受信することと、
前記少なくとも１つのさらなる構成に関連する前記無線リソースと、前記第２の無線アクセス技術に従って通信するために前記端末デバイスが使用するように構成された前記無線リソースとに重複があるかどうかを判定することと、
をさらに含み、重複が存在することを表示するために前記ネットワークインフラストラクチャ機器に送信された前記シグナリングが、前記重複が該当する、前記第１の無線アクセス技術による前記第２の周波数帯域内の通信のための無線リソースの前記構成をさらに示す請求項１に記載の方法。
【請求項１７】
前記端末デバイスが、前記第１の無線アクセス技術に従って通信するために前記端末デバイスが使用するように構成された前記無線リソースと、前記第２の無線アクセス技術に従って通信するために前記端末デバイスが使用するように構成された前記無線リソースとに重複があると判定したことに応答して、前記第１の無線アクセス技術に従って前記ネットワークインフラストラクチャ機器と通信するために前記端末デバイスが使用するための前記第２の周波数帯域内の無線リソースの前記構成を解放することをさらに含む、請求項１に記載の方法。
【請求項１８】
前記第２の周波数帯域が、前記ワイヤレス通信システムの一部ではないワイヤレス通信デバイスと共有される無線リソースを含む、請求項１に記載の方法。
【請求項１９】
前記第２の無線アクセス技術が、非セルラー通信無線アクセス技術である、請求項１に記載の方法。
【請求項２０】
前記第２の無線アクセス技術が、ワイヤレスローカルエリアネットワーク、ＷＬＡＮ、無線アクセス技術、Ｂｌｕｅｔｏｏｔｈ(登録商標)無線アクセス技術、およびグローバルナビゲーション衛星システム、ＧＮＳＳ、無線アクセス技術を含むグループから選択される、請求項１に記載の方法。
【請求項２１】
第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従ってネットワークインフラストラクチャ機器と通信するためにワイヤレス通信システムにおいて使用するための端末デバイスであって、前記端末デバイスが、第２の無線アクセス技術に従って通信するために前記第２の周波数帯域内の無線リソースを使用するようにさらに動作可能であり、前記端末デバイスが、
前記第１の無線アクセス技術に従って前記ネットワークインフラストラクチャ機器と通信するために前記端末デバイスが使用するための前記第２の周波数帯域内の無線リソースの構成の表示を前記ネットワークインフラストラクチャ機器から受信し、
前記第２の無線アクセス技術に従って通信するために前記端末デバイスが使用するための前記第２の周波数帯域内の無線リソースの構成を確立し、
前記第１の無線アクセス技術に従って通信するために前記端末デバイスが使用するように構成された前記無線リソースと、前記第２の無線アクセス技術に従って通信するために前記端末デバイスが使用するように構成された前記無線リソースとに重複があるかどうかを判定し、重複がある場合、重複があることを表示するために、前記ネットワークインフラストラクチャ機器にシグナリングを送信するために一緒に動作するように構成されたコントローラユニットとトランシーバユニットとを備える、端末デバイス。
【請求項２２】
第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従ってネットワークインフラストラクチャ機器と通信するためのワイヤレス通信システムにおける端末デバイスのための回路であって、前記端末デバイスが、第２の無線アクセス技術に従って通信するために前記第２の周波数帯域内の無線リソースを使用するようにさらに動作可能であり、前記回路が、
前記第１の無線アクセス技術に従って前記ネットワークインフラストラクチャ機器と通信するために前記端末デバイスが使用するための前記第２の周波数帯域内の無線リソースの構成の表示を前記ネットワークインフラストラクチャ機器から受信し、
前記第２の無線アクセス技術に従って通信するために前記端末デバイスが使用するための前記第２の周波数帯域内の無線リソースの構成を確立し、
前記第１の無線アクセス技術に従って通信するために前記端末デバイスが使用するように構成された前記無線リソースと、前記第２の無線アクセス技術に従って通信するために前記端末デバイスが使用するように構成された前記無線リソースとに重複があるかどうかを判定し、重複がある場合、重複があることを表示するために、前記ネットワークインフラストラクチャ機器にシグナリングを送信するために一緒に動作するように構成されたコントローラ要素とトランシーバ要素とを備える、回路。
【請求項２３】
第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従って端末デバイスと通信するためにワイヤレス通信システムにおいてネットワークインフラストラクチャ機器を動作させる方法であって、前記端末デバイスが、第２の無線アクセス技術に従って通信するために前記第２の周波数帯域内の無線リソースを使用するようにさらに動作可能であり、前記方法が、
前記第１の無線アクセス技術に従って前記ネットワークインフラストラクチャ機器と通信するために前記端末デバイスが使用するための前記第２の周波数帯域内の無線リソースの構成を確立することと、
前記第１の無線アクセス技術に従って前記ネットワークインフラストラクチャ機器と通信するために前記端末デバイスが使用するための前記第２の周波数帯域内の無線リソースの前記構成の表示を前記端末デバイスに送信することと、
前記第１の無線アクセス技術に従って通信するために前記端末デバイスが使用するように構成された前記無線リソースと、前記第２の無線アクセス技術に従って通信するために前記端末デバイスが使用するために必要とされる、前記端末デバイスが確立した無線リソースとの重複の表示を前記端末デバイスから受信することと、
前記第１の無線アクセス技術に従って前記ネットワークインフラストラクチャ機器と通信するために前記端末デバイスが使用するために前記第２の周波数帯域内の無線リソースの置換構成を確立することであって、前記置換構成が、前記重複が示されることに関する無線リソースを回避するために選択されることと、
前記第１の無線アクセス技術に従って前記ネットワークインフラストラクチャ機器と通信するために前記端末デバイスが使用するための前記第２の周波数帯域内の無線リソースの前記置換構成の表示を前記端末デバイスに送信することと
を含む方法。
【請求項２４】
第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従って端末デバイスと通信するためにワイヤレス通信システムにおいて使用するためのネットワークインフラストラクチャ機器であって、前記端末デバイスが、第２の無線アクセス技術に従って通信するために前記第２の周波数帯域内の無線リソースを使用するようにさらに動作可能であり、前記ネットワークインフラストラクチャ機器が、
前記第１の無線アクセス技術に従って前記ネットワークインフラストラクチャ機器と通信するために前記端末デバイスが使用するための前記第２の周波数帯域内の無線リソースの構成を確立し、
前記第１の無線アクセス技術に従って前記ネットワークインフラストラクチャ機器と通信するために前記端末デバイスが使用するための前記第２の周波数帯域内の無線リソースの前記構成の表示を前記端末デバイスに送信し、
前記第１の無線アクセス技術に従って通信するために前記端末デバイスが使用するように構成された前記無線リソースと、前記第２の無線アクセス技術に従って通信するために前記端末デバイスが使用するために必要とされる、前記端末デバイスが確立した無線リソースとの重複の表示を前記端末デバイスから受信し、
前記第１の無線アクセス技術に従って前記ネットワークインフラストラクチャ機器と通信するために前記端末デバイスが使用するために前記第２の周波数帯域内の無線リソースの置換構成を確立し、前記置換構成が、前記重複が示されることに関する無線リソースを回避するために選択され、
前記第１の無線アクセス技術に従って前記ネットワークインフラストラクチャ機器と通信するために前記端末デバイスが使用するための前記第２の周波数帯域内の無線リソースの前記置換構成の表示を前記端末デバイスに送信するために一緒に動作するように構成されたコントローラユニットとトランシーバユニットとを備える、ネットワークインフラストラクチャ機器。
【請求項２５】
第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従って端末デバイスと通信するためにワイヤレス通信システムにおいて使用するためのネットワークインフラストラクチャ機器のための回路であって、前記端末デバイスが、第２の無線アクセス技術に従って通信するために前記第２の周波数帯域内の無線リソースを使用するようにさらに動作可能であり、前記回路が、
前記第１の無線アクセス技術に従って前記ネットワークインフラストラクチャ機器と通信するために前記端末デバイスが使用するための前記第２の周波数帯域内の無線リソースの構成を確立し、
前記第１の無線アクセス技術に従って前記ネットワークインフラストラクチャ機器と通信するために前記端末デバイスが使用するための前記第２の周波数帯域内の無線リソースの前記構成の表示を前記端末デバイスに送信し、
前記第１の無線アクセス技術に従って通信するために前記端末デバイスが使用するように構成された前記無線リソースと、前記第２の無線アクセス技術に従って通信するために前記端末デバイスが使用するために必要とされる、前記端末デバイスが確立した無線リソースとの重複の表示を前記端末デバイスから受信し、
前記第１の無線アクセス技術に従って前記ネットワークインフラストラクチャ機器と通信するために前記端末デバイスが使用するために前記第２の周波数帯域内の無線リソースの置換構成を確立し、前記置換構成が、前記重複が示されることに関する無線リソースを回避するために選択され、
前記第１の無線アクセス技術に従って前記ネットワークインフラストラクチャ機器と通信するために前記端末デバイスが使用するための前記第２の周波数帯域内の無線リソースの前記置換構成の表示を前記端末デバイスに送信するために一緒に動作するように構成されたコントローラ要素とトランシーバ要素とを備える、回路。
【発明の詳細な説明】
【技術分野】
【０００１】
本開示は、モバイル通信ネットワーク、モバイル通信ネットワークのためのインフラストラクチャ機器、モバイル通信ネットワークを介してデータを通信するための通信デバイスおよびモバイル通信ネットワークを介する通信方法を使用してデータを通信するためのモバイル通信ネットワークおよびモバイル通信方法に関する。
【背景技術】
【０００２】
ここに提供する「技術分野」の記述は、この開示の内容を広く提示する目的を有する。現在列挙されている発明者らの成果は、この技術分野の章に記載される限り、それ以外の、出願時に先行技術としての資格を有し得ないこの記述の局面と共に、本発明に対する先行技術としては明示的にも暗示的にも認められない。
【０００３】
ワイヤレス電気通信の分野では、無線スペクトルの複数の領域が、様々なモバイルネットワークオペレータ（ＭＮＯ）の独占的使用のために、当該ＭＮＯらにライセンスを通じて割り当てられることがよく知られている。ライセンスは、典型的には、モバイル通信ネットワーク（例えば、ＧＳＭ、ＷＣＤＭＡ／ＨＳＰＡ、及びＬＴＥ／ＬＴＥ−Ａ）を配備すべき無線周波数スペクトルの予め定義された部分を、ＭＮＯが複数年にわたって独占的に使用することを認可する。このアプローチの結果、オペレータは、自身に割り振られた無線リソースが他の無線サービスに何ら干渉されないという保証を得て、ライセンス条件の制約内で、自身がネットワーク内に配備する無線技術に対して排他的制御を行う。その結果、自身による独占的使用のためにライセンスされた無線リソースを使用して動作するように主として設計されるワイヤレス電気通信システムは、或る程度の統括的な制御及び協調を伴って動作して、利用可能な無線リソースの、最も効率のよい利用を補助することができる。このようなワイヤレス電気通信システムは、標準仕様に基づいて全ての干渉を内的に管理もするが、その理由は、ライセンスが、当該ワイヤレス電気通信システムに対し、外部干渉源からの良好な耐性を付与するためである。ＭＮＯの、ライセンスされた帯域上に配備される、様々なデバイスの共存は、関連する無線標準規格への準拠を通じて管理されている。今日、ライセンスされたスペクトルは通常、政府主催の競売を介して複数のオペレータに割り振られているが、いわゆる「比較審査方式」もまた、引き続き使用されている。
【０００４】
また、ワイヤレス電気通信の分野では、利用可能な無線スペクトルの複数の領域を、免許不要の状態にしておくこともよく知られている。免許不要の（ライセンス免除）無線スペクトルは、少なくとも或る程度まで、Ｗｉ−Ｆｉ及びブルートゥース、並びにその他の非３ＧＰＰ無線アクセス技術といった複数個の異なる技術により、自由に使用され得る。免許不要のスペクトル帯域を使用するデバイスについての動作パラメータは、典型的には、例えば２．４ＧＨｚのＩＳＭ帯域についてのＦＣＣ  Ｐａｒｔ１５のルールといった技術的規制要件によって明記されている。免許不要の帯域上に配備される、様々なデバイスの共存は、統括的な協調及び制御を欠くため、通常、このような技術的ルール及び種々のポライトネスプロトコルに基づいている。
【０００５】
ＬＴＥといった、ライセンスされた無線スペクトル上で動作するために設計されるワイヤレス電気通信システム技術の使用は、ワイヤレス電気通信技術のために確立された使用の採用率を増大させる観点と、例えばマシンタイプ通信（ＭＴＣ）という発展しつつある分野における新規使用の導入の観点と、の両方から一段と普及してきている。より多くの帯域幅の提供を補助し、ワイヤレス電気通信技術の、この使用の増大をサポートするために、近頃では、免許不要の無線スペクトルリソースを使用して、ライセンスされた無線スペクトル上での動作をサポートすることが提案されている。
【先行技術文献】
【特許文献】
【０００６】
【特許文献１】欧州特許第１４１７１２８４．４号明細書
【特許文献２】欧州特許第１４１７１２８５．１号明細書
【非特許文献】
【０００７】
【非特許文献１】Holma  H.  and  Toskala  A,  "LTE  for  UMTS  OFDMA  and  SC-FDMA  based  radio  access",  John  Wiley  and  Sons,  2009
【非特許文献２】ETSI  TS  136  21  1  V1  1  .5.0  (2014-01  )  /  3GPP  TS  36.21  1  version  1  1  .5.0  Release  1  1
【非特許文献３】ETSI  TS  136  212  V1  1  .4.0  (2014-01  )  /  3GPP  TS  36.212  version  1  1  .4.0  Release  1  1
【非特許文献４】ETSI  TS  136  213  V1  1  .6.0  (2014-03)  /  3GPP  TS  36.213  version  1  1  .6.0  Release  1  1
【非特許文献５】ETSI  TS  136  321  V1  1  .5.0  (2014-03)  /  3GPP  TS  36.321  version  1  1  .5.0  Release  1  1
【非特許文献６】ETSI  TS  136  331  V12.2.0  (2014-06)  /  3GPP  TS  36.331  version  12.2.0  Release  12
【非特許文献７】ETSI  TR  136  816  V1  1  .2.0  (201  1  -12)  /  3GPP  TR  36.816  version  1  1  .2.0  Release  1  1
【非特許文献８】ETSI  TS  136  300  V12.2.0  (2014-06)  /  3GPP  TS  36.300  version  12.2.0  Release  12
【発明の概要】
【発明が解決しようとする課題】
【０００８】
しかしながら、ライセンスされたスペクトルとは対照的に、免許不要のスペクトルは、例えば干渉からの保護をもたらす協調的制御／統括的制御を何ら用いずに、異なる技術間、又は、同じ技術を使用する異なるネットワーク間で共有及び使用されることが可能である。その結果、免許不要のスペクトルにおけるワイヤレス技術の使用は、予測不可能な干渉を受けやすいことがあり得、スペクトルリソースの保証、即ち、無線接続がベストエフォートベースで行われるという保証を有さない。このことは、ライセンスされた無線リソースを使用して動作するように一般に設計されている、ＬＴＥといったワイヤレスネットワーク技術が、改変されたアプローチを必要とすること、即ち、それら自身による免許不要の無線リソースの効率的な使用を可能にする、特に、それら自身と、免許不要のスペクトル帯域において同時に動作し得る他の無線アクセス技術とが信頼可能に且つ公平に共存することを可能にする、改変されたアプローチを必要とすること、を意味する。
【０００９】
そのため、ライセンスされた（即ち、関連する無線リソースに独占的アクセスを有し、よって、当該無線リソースに対して或るレベルの制御を行うことのできる）スペクトル帯域において、免許不要のスペクトル帯域における動作が必要とする態様で（即ち、関連する無線リソースのうちの少なくとも幾つかへの独占的アクセスを有さずに）動作するように主として設計されるモバイル無線アクセス技術のシステムを配備することは、新たな技術的課題を惹起する。
【課題を解決するための手段】
【００１０】
本開示の１つの態様によれば、第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従ってネットワークインフラストラクチャ機器と通信するためにワイヤレス通信システムにおいて端末デバイスを動作させる方法が提供され、端末デバイスは、第２の無線アクセス技術に従って通信するために第２の周波数帯域内の無線リソースを使用するようにも動作可能であり、方法は、第１の無線アクセス技術に従ってネットワークインフラストラクチャ機器と通信するために端末デバイスが使用するための第２の周波数帯域内の無線リソースの構成の表示をネットワークインフラストラクチャ機器から受信することと、第２の無線アクセス技術に従って通信するために端末デバイスが使用するための第２の周波数帯域内の無線リソースの構成を確立することと、第１の無線アクセス技術に従って通信するために端末デバイスが使用するように構成された無線リソースと、第２の無線アクセス技術に従って通信するために端末デバイスが使用するように構成された無線リソースとに重複があるかどうかを判定し、重複がある場合、重複があることを示すために、ネットワークインフラストラクチャ機器にシグナリングを送信することとを含む。
【００１１】
本開示の別の態様によれば、第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従ってネットワークインフラストラクチャ機器と通信するためにワイヤレス通信システムにおいて使用するための端末デバイスが提供され、端末デバイスは、第２の無線アクセス技術に従って通信するために第２の周波数帯域内の無線リソースを使用するようにさらに動作可能であり、端末デバイスは、第１の無線アクセス技術に従ってネットワークインフラストラクチャ機器と通信するために端末デバイスが使用するための第２の周波数帯域内の無線リソースの構成の表示をネットワークインフラストラクチャ機器から受信し、第２の無線アクセス技術に従って通信するために端末デバイスが使用するための第２の周波数帯域内の無線リソースの構成を確立し、第１の無線アクセス技術に従って通信するために端末デバイスが使用するように構成された無線リソースと、第２の無線アクセス技術に従って通信するために端末デバイスが使用するように構成された無線リソースとに重複があるかどうかを判定し、重複がある場合、重複があることを示すために、ネットワークインフラストラクチャ機器にシグナリングを送信するために一緒に動作するように構成されたコントローラユニットとトランシーバユニットとを備える。
【００１２】
本開示の別の態様によれば、第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従ってネットワークインフラストラクチャ機器と通信するためのワイヤレス通信システムにおける端末デバイスのための回路が提供され、端末デバイスは、第２の無線アクセス技術に従って通信するために第２の周波数帯域内の無線リソースを使用するようにさらに動作可能であり、回路は、第１の無線アクセス技術に従ってネットワークインフラストラクチャ機器と通信するために端末デバイスが使用するための第２の周波数帯域内の無線リソースの構成の表示をネットワークインフラストラクチャ機器から受信し、第２の無線アクセス技術に従って通信するために端末デバイスが使用するための第２の周波数帯域内の無線リソースの構成を確立し、第１の無線アクセス技術に従って通信するために端末デバイスが使用するように構成された無線リソースと、第２の無線アクセス技術に従って通信するために端末デバイスが使用するように構成された無線リソースとに重複があるかどうかを判定し、重複がある場合、重複があることを示すために、ネットワークインフラストラクチャ機器にシグナリングを送信するために一緒に動作するように構成されたコントローラ要素とトランシーバ要素とを備える。
【００１３】
本開示の別の態様によれば、第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従って端末デバイスと通信するためにワイヤレス通信システムにおいてネットワークインフラストラクチャ機器を動作させる方法が提供され、端末デバイスは、第２の無線アクセス技術に従って通信するために第２の周波数帯域内の無線リソースを使用するようにさらに動作可能であり、方法は、第１の無線アクセス技術に従ってネットワークインフラストラクチャ機器と通信するために端末デバイスが使用するための第２の周波数帯域内の無線リソースの構成を確立することと、第１の無線アクセス技術に従ってネットワークインフラストラクチャ機器と通信するために端末デバイスが使用するための第２の周波数帯域内の無線リソースの構成の表示を端末デバイスに送信することと、第１の無線アクセス技術に従って通信するために端末デバイスが使用するように構成された無線リソースと、第２の無線アクセス技術に従って通信するために端末デバイスが使用するために必要とされる、端末デバイスが確立した無線リソースとの重複の表示を端末デバイスから受信することと、第１の無線アクセス技術に従ってネットワークインフラストラクチャ機器と通信するために端末デバイスが使用するための第２の周波数帯域内の無線リソースの置換構成を確立することであって、置換構成が、重複が示されることに関する無線リソースを回避するために選択されることと、第１の無線アクセス技術に従ってネットワークインフラストラクチャ機器と通信するために端末デバイスが使用するための第２の周波数帯域内の無線リソースの置換構成の表示を端末デバイスに送信することとを含む。
【００１４】
本開示の別の態様によれば、第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従って端末デバイスと通信するためにワイヤレス通信システムにおいて使用するためのネットワークインフラストラクチャ機器が提供され、端末デバイスは、第２の無線アクセス技術に従って通信するために第２の周波数帯域内の無線リソースを使用するようにさらに動作可能であり、ネットワークインフラストラクチャ機器は、第１の無線アクセス技術に従ってネットワークインフラストラクチャ機器と通信するために端末デバイスが使用するための第２の周波数帯域内の無線リソースの構成を確立し、第１の無線アクセス技術に従ってネットワークインフラストラクチャ機器と通信するために端末デバイスが使用するための第２の周波数帯域内の無線リソースの構成の表示を端末デバイスに送信し、第１の無線アクセス技術に従って通信するために端末デバイスが使用するように構成された無線リソースと、第２の無線アクセス技術に従って通信するために端末デバイスが使用するために必要とされる、端末デバイスが確立した無線リソースとの重複の表示を端末デバイスから受信し、第１の無線アクセス技術に従ってネットワークインフラストラクチャ機器と通信するために端末デバイスが使用するために第２の周波数帯域内の無線リソースの置換構成を確立し、置換構成が、重複が示されることに関する無線リソースを回避するために選択され、第１の無線アクセス技術に従ってネットワークインフラストラクチャ機器と通信するために端末デバイスが使用するための第２の周波数帯域内の無線リソースの置換構成の表示を端末デバイスに送信するために一緒に動作するように構成されたコントローラユニットとトランシーバユニットとを備える。
【００１５】
本開示の別の態様によれば、第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従って端末デバイスと通信するためにワイヤレス通信システムにおいて使用するためのネットワークインフラストラクチャ機器のための回路が提供され、端末デバイスは、第２の無線アクセス技術に従って通信するために第２の周波数帯域内の無線リソースを使用するようにさらに動作可能であり、回路は、第１の無線アクセス技術に従ってネットワークインフラストラクチャ機器と通信するために端末デバイスが使用するための第２の周波数帯域内の無線リソースの構成を確立し、第１の無線アクセス技術に従ってネットワークインフラストラクチャ機器と通信するために端末デバイスが使用するための第２の周波数帯域内の無線リソースの構成の表示を端末デバイスに送信し、第１の無線アクセス技術に従って通信するために端末デバイスが使用するように構成された無線リソースと、第２の無線アクセス技術に従って通信するために端末デバイスが使用するために必要とされる、端末デバイスが確立した無線リソースとの重複の表示を端末デバイスから受信し、第１の無線アクセス技術に従ってネットワークインフラストラクチャ機器と通信するために端末デバイスが使用するために第２の周波数帯域内の無線リソースの置換構成を確立し、置換構成が、重複が示されることに関する無線リソースを回避するために選択され、第１の無線アクセス技術に従ってネットワークインフラストラクチャ機器と通信するために端末デバイスが使用するための第２の周波数帯域内の無線リソースの置換構成の表示を端末デバイスに送信するために一緒に動作するように構成されたコントローラ要素とトランシーバ要素とを備える。
【００１６】
さらなるそれぞれの態様および特徴は、添付の特許請求の範囲によって定義される。
【００１７】
前述の段落は、概略紹介によって提供されたものであり、以下の特許請求の範囲を限定するものではない。記載された実施形態は、さらなる利点と共に、添付の図面と併せて以下の詳細な説明を参照することによって最もよく理解されよう。
【図面の簡単な説明】
【００１８】
以下の詳細な説明を添付の図面と併せ読むとよりよく理解されるので、本開示のより完全な理解、およびその付随的な効果の多くは容易に得られ、同様の参照番号は、いくつかの図にわたって同一または対応する部分を示す。
【００１９】
【図１】モバイル通信システムの一例を示す概略図である。
【図２】ＬＴＥ無線フレームを示す概略図である。
【図３】ＬＴＥダウンリンク無線サブフレームの一例を示す概略図である。
【図４】本開示の一実施形態によるワイヤレス通信システムを概略的に示す図である。
【図５】本開示のいくつかの実施形態による基地局および端末デバイスのいくつかの動作態様を表すシグナリングラダー図である。
【発明を実施するための形態】
【００２０】
図１は、ＬＴＥ原理に従って動作し、以下にさらに説明するように、この開示の複数の形態を実装するように適合され得る、モバイル電気通信ネットワーク／システム１００の幾つかの基本的な機能性を例示する概略図を提供する。図１の種々の要素、及び、当該要素のそれぞれの動作モードは、よく知られており、３ＧＰＰ（ＲＴＭ）機関により管轄されている、関連する標準規格に定義されており、そのことについては、多くの書籍、例えばＨｏｌｍａ  Ｈ．及びＴｏｓｋａｌａ  Ａ［１］にも記載されている。以下に具体的に記載されていない電気通信ネットワークの動作上の局面が、知られている何らかの技法に従って、例えば関連する標準規格に従って、実装されてよいことが認識されるであろう。
【００２１】
ネットワーク１００は、コアネットワーク１０２に接続される複数の基地局１０１を含む。各基地局は、その中において複数の端末デバイス１０４に及び複数の端末デバイス１０４からデータが通信されることが可能なカバレージエリア１０３（即ちセル）を提供する。データは、複数の基地局１０１から、当該基地局１０１のそれぞれのカバレージエリア１０３内の複数の端末デバイス１０４に、無線ダウンリンクを介して送信される。データは、複数の端末デバイス１０４から複数の基地局１０１に、無線アップリンクを介して送信される。アップリンク通信及びダウンリンク通信は、ネットワーク１００のオペレータによる使用のためにライセンスされた無線リソースを使用して行われる。コアネットワーク１０２は、複数の端末デバイス１０４に及び複数の端末デバイス１０４から、それぞれの基地局１０１を介してデータをルーティングし、認証、モビリティ管理、課金などといった機能を提供する。端末デバイスは、モバイル局、ユーザ機器（ＵＥ）、ユーザ端末、モバイル無線機などとも称され得る。基地局は、送受信局／ノードＢ／ｅノードＢなどとも称され得る。
【００２２】
３ＧＰＰが定義したＬＴＥ（Long  Term  Evolution）アーキテクチャに従って配置されるシステムのようなモバイル電気通信システムは、無線ダウンリンク用には直交周波数分割多重（ＯＦＤＭ）ベースのインタフェース（いわゆるＯＦＤＭＡ）と、無線アップリンク上ではシングルキャリア周波数分割多元アクセススキーム（ＳＣ−ＦＤＭＡ）と、を使用する。図２は、ＯＦＤＭベースのＬＴＥダウンリンク無線フレーム２０１を例示する概略図を示す。ＬＴＥダウンリンク無線フレームは、ＬＴＥ基地局（拡張ノードＢとして知られている）から送信され、１０ｍｓ間持続する。ダウンリンク無線フレームは、１０個のサブフレームを備え、各サブフレームは、１ｍｓ間持続する。ＬＴＥフレームのうちの第１番目及び第６番目のサブフレームにおいて、プライマリ同期信号（ＰＳＳ）及びセカンダリ同期信号（ＳＳＳ）が送信される。ＬＴＥフレームの第１番目のサブフレームにおいて、物理ブロードキャストチャネル（ＰＢＣＨ）が送信される。
【００２３】
図３は、例示的な従来のダウンリンクＬＴＥサブフレームの構造を例示するグリッドの概略図である。当該サブフレームは、１ｍｓの期間にわたって送信される、所定の数のシンボルを含む。各シンボルは、ダウンリンク無線キャリアの帯域幅全体に分散される、所定の数の直交サブキャリアを含む。
【００２４】
図３に示す例示的なサブフレームは、ネットワーク１００のオペレータによる使用のためにライセンスされた２０ＭＨｚの帯域幅全体に散在させた、１４個のシンボル及び１２００個のサブキャリアを含み、この例は、フレーム内の第１番目のサブフレームである（よって、ＰＢＣＨを含む）。ＬＴＥにおける送信のための物理リソースの最小の割り当てが、１つのサブフレームにわたって送信される１２個のサブキャリアを含むリソースブロックである。図３では、明瞭にするために、個々のリソース要素の各々は示しておらず、その代わりに、サブフレームグリッド内の個々のボックスの各々が、１つのシンボル上で送信される１２個のサブキャリアに相当する。
【００２５】
図３は、４個のＬＴＥ端末３４０、３４１、３４２、及び３４３のためのリソース割り当てを、ハッチングで示している。例えば、第１のＬＴＥ端末（ＵＥ１）のためのリソース割り当て３４２は、１２個のサブキャリアの５個のブロック（即ち、６０個のサブキャリア）にわたって延在し、第２のＬＴＥ端末（ＵＥ２）のためのリソース割り当て３４３は、１２個のサブキャリアの６個のブロック（即ち、７２個のサブキャリア）にわたって延在し、などである。
【００２６】
制御チャネルデータは、サブフレームの最初の「ｎ」個のシンボルを含むサブフレームの制御領域３００（図３では点状陰影により示す）において送信されることが可能であり、ここで「ｎ」は、３ＭＨｚ以上のチャネル帯域幅については１個から３個のシンボルの間で変動することが可能であり、１．４ＭＨｚのチャネル帯域幅については２個から４個のシンボルの間で変動することが可能である。具体例を提供するために、以下の説明は、３ＭＨｚ以上のチャネル帯域幅を有するホストキャリアに関し、よって、「ｎ」の最大値は（図３の例におけるように）３となる。制御領域３００において送信されるデータは、物理ダウンリンク制御チャネル（ＰＤＣＣＨ）、物理制御フォーマットインジケータチャネル（ＰＣＦＩＣＨ）、及び物理ＨＡＲＱインジケータチャネル（ＰＨＩＣＨ）上で送信されるデータを含む。これらのチャネルは、物理レイヤ制御情報を送信する。制御チャネルデータは、サブフレームの持続期間に実質的に等しいか、又は、「ｎ」個のシンボルの後に残存する当該サブフレームの持続期間に実質的に等しい時間にわたり、複数個のサブキャリアを含むサブフレームの第２番目の領域においても、送信されることが可能であり、又は代替的に、当該第２番目の領域において送信されることが可能である。この第２番目の領域において送信されるデータは、拡張物理ダウンリンク制御チャネル（ＥＰＤＣＣＨ）上で送信される。このチャネルは、それに加えて他の物理レイヤ制御チャネル上で送信されてもよい物理レイヤ制御情報を送信する。
【００２７】
ＰＤＣＣＨ及びＥＰＤＣＣＨは、サブフレームのうちのどのサブキャリアが特定の端末（又は、全ての端末、若しくは、端末のサブセット）に割り当てられたかを示す制御データを含む。このことは、物理レイヤ制御シグナリング／データと称され得る。よって、図３に示すサブフレームの制御領域３００において送信されるＰＤＣＣＨデータ及び／又はＥＰＤＣＣＨデータは、ＵＥ１に対し、参照番号３４２により識別されるリソースのブロックが割り当てられたこと、ＵＥ２に対し、参照番号３４３により識別されるリソースのブロックが割り当てられたこと、などを示すであろう。
【００２８】
ＰＣＦＩＣＨは、制御領域のサイズ（即ち、３ＭＨｚ以上のチャネル帯域幅については１個から３個のシンボルの間、１．４ＭＨｚのチャネル帯域幅については２個から４個のシンボルの間）を示す制御データを含む。
【００２９】
ＰＨＩＣＨは、以前に送信されたアップリンクデータがネットワークにより成功裏に受信されたか否かを示すＨＡＲＱ（ハイブリッド自動要求）データを含む。
【００３０】
時間周波数リソースグリッドの中心帯域３１０におけるシンボルは、プライマリ同期信号（ＰＳＳ）、セカンダリ同期信号（ＳＳＳ）、及び物理ブロードキャストチャネル（ＰＢＣＨ）を含む情報を送信するために使用される。この中心帯域３１０は、典型的には、７２個のサブキャリアの幅を有する（１．０８ＭＨｚの送信帯域幅に対応）。ＰＳＳ及びＳＳＳは、一旦検出されると、ＬＴＥ端末デバイスによる、フレーム同期の達成と、ダウンリンク信号を送信する拡張ノードＢの物理レイヤセルＩＤの判定とを可能にする同期信号である。ＰＢＣＨは、セルについての情報を搬送し、当該情報は、ＬＴＥ端末がセルに適正にアクセスするために使用するパラメータを含むマスタ情報ブロック（ＭＩＢ）を含む。サブフレームの他のリソース要素においては、ダウンリンクデータチャネルとも称され得る物理ダウンリンク共有チャネル（ＰＤＳＣＨ）上で端末に送信されるデータを送信することが可能である。一般に、ＰＤＳＣＨは、（無線リソース制御（ＲＲＣ）及び非アクセス層（ＮＡＳ）シグナリングといった）ユーザプレーンデータ及び非物理レイヤ制御プレーンデータの組合せを伝達する。ＰＤＳＣＨ上で伝達されるユーザプレーンデータ及び非物理レイヤ制御プレーンデータは、上位レイヤデータ（即ち、物理レイヤよりも上位のレイヤに関連付けられるデータ）とも称され得る。
【００３１】
図３は、システム情報を含み、且つ、Ｒ３４４の帯域幅にわたって延在する、ＰＤＳＣＨの領域も示す。従来のＬＴＥサブフレームはリファレンス信号も含むが、図３では、明瞭にするためにリファレンス信号を示していない。
【００３２】
ＬＴＥチャネル内のサブキャリアの数は、送信ネットワークの構成に依存して変動し得る。典型的に、この変動は、１．４ＭＨｚのチャネル帯域幅内に含まれる７２個のサブキャリアから、（図３に概略的に示すように）２０ＭＨｚのチャネル帯域幅内に含まれる１２００個のサブキャリアにまで及ぶ。当該技術で知られているように、ＰＤＣＣＨ、ＰＣＦＩＣＨ、及びＰＨＩＣＨ上で送信されるデータは、典型的には、サブキャリア上において、サブフレームの全帯域幅の全体に分散されて、周波数ダイバーシティを備える。
【００３３】
複数の基地局１０１と複数の端末デバイス１０４との間の通信は、従来、ネットワーク１００のオペレータによる独占的使用のためにライセンスされた無線リソースを使用して行われる。
【００３４】
これらのライセンスされた無線リソースは、無線スペクトル全体の一部にすぎない。ネットワーク１００の環境内の他のデバイスは、他の無線リソースを使用して、ワイヤレスの態様で通信し得る。例えば、異なるオペレータのネットワークは、当該異なるオペレータによる使用のためにライセンスされた異なる無線リソースを使用して、同じ地理的領域内で動作していることがあり得る。他のデバイスは、免許不要の無線スペクトル帯域内の他の無線リソースを使用して、例えばＷｉ−Ｆｉ技術又はブルートゥース技術を使用して、動作していることがあり得る。
【００３５】
上で注記したように、無線スペクトルのライセンスされた部分内の無線リソースを使用するワイヤレス電気通信ネットワークが、無線スペクトルの免許不要の部分（即ち、その上においてワイヤレス電気通信ネットワークが独占的アクセスを有さず、むしろ他のアクセス技術及び／又は他のワイヤレス電気通信ネットワークによって共有される、無線スペクトルの一部）内の無線リソースを使用することによってサポートされ得ることが提案されてきた。特に、キャリアアグリゲーションベースの技法を使用して、ライセンスを免除された無線リソースが、ライセンスされた無線リソースと併用されることを可能にし得ることが提案されてきた。
【００３６】
本質的に、キャリアアグリゲーションは、基地局と端末デバイスとの間の通信が、２つ以上のキャリアを用いて行われることを見込んでいる。これにより、１つのキャリアのみを使用するときに比べ、基地局と端末デバイスとの間で達成され得る最大データレートを高めることが可能となり、断片化されたスペクトルの、より効率的且つ生産的な使用を可能にすることを補助し得る。集約された個々のキャリアは、通例、コンポーネントキャリア（又は時として、単にコンポーネント）と称される。ＬＴＥのコンテキストにおいて、キャリアアグリゲーションは、標準規格のリリース１０において導入された。ＬＴＥベースのシステムにおける、キャリアアグリゲーションについての現在の標準規格に従い、ダウンリンク及びアップリンクの各々について、最大５個のコンポーネントキャリアを集約することができる。これらのコンポーネントキャリアは、互いに隣接している必要はなく、ＬＴＥが定義する値のいずれかに対応するシステム帯域幅（１．４ＭＨｚ、３ＭＨｚ、５ＭＨｚ、１０ＭＨｚ、１５ＭＨｚ、及び２０ＭＨｚ）を有することができ、それにより、最大１００ＭＨｚの総帯域幅を可能にする。当然ながら、これが特定のキャリアアグリゲーション実装の単なる１つの例にすぎず、他の実装が、異なる数のコンポーネントキャリア及び／又は帯域幅を見込み得ることが認識されるであろう。
【００３７】
ＬＴＥベースのワイヤレス電気通信システムのコンテキストにおける、キャリアアグリゲーションの動作についての更なる情報は、関連する標準規格文書、例えば、ＥＴＳＩ  ＴＳ  １３６  ２１１  Ｖ１１．５．０（２０１４−０１）／３ＧＰＰ  ＴＳ  ３６．２１１バージョン１１．５．０リリース１１［２］、ＥＴＳＩ  ＴＳ  １３６  ２１２  Ｖ１１．４．０（２０１４−０１）／３ＧＰＰ  ＴＳ  ３６．２１２バージョン１１．４．０リリース１１［３］、ＥＴＳＩ  ＴＳ  １３６  ２１３  Ｖ１１．６．０（２０１４−０３）／３ＧＰＰ  ＴＳ  ３６．２１３バージョン１１．６．０リリース１１［４］、ＥＴＳＩ  ＴＳ  １３６  ３２１  Ｖ１１．５．０（２０１４−０３）／３ＧＰＰ  ＴＳ  ３６．３２１バージョン１１．５．０リリース１１［５］、及び、ＥＴＳＩ  ＴＳ  １３６  ３３１  Ｖ１２．２．０（２０１４−０６）／３ＧＰＰ  ＴＳ  ３６．３３１バージョン１２．２．０リリース１２［６］に見ることができる。
【００３８】
ＬＴＥベースのシステムのコンテキストにおける、キャリアアグリゲーションのために使用される専門用語及び実装によると、セルは、それ自体が端末デバイスのための接続セットアップ中に最初に構成されるセルである場合、当該端末デバイスについての「プライマリセル」又はＰｃｅｌｌと表記される。よって、プライマリセルは、端末デバイスのためのＲＲＣ（無線リソース制御）接続の確立／再確立を取り扱う。プライマリセルは、ダウンリンクコンポーネントキャリア及びアップリンクコンポーネントキャリア（ＣｏＣ）に関連付けられる。これらは、時として、本明細書においてプライマリコンポーネントキャリアと称され得る。Ｐｃｅｌｌ上での最初の接続確立後に、当該端末デバイスによる使用のために構成されるセルは、「セカンダリセル」又はＳｃｅｌｌと呼ばれる。よって、セカンダリセルは、プライマリセルでの接続確立後に、付加的な無線リソースを提供するように構成される。Ｓｃｅｌｌに関連付けられるキャリアは、時として、本明細書においてセカンダリコンポーネントキャリアと称され得る。ＬＴＥにおいては最大５個のコンポーネントキャリアを集約することが可能であるため、最大４個のＳｃｅｌｌ（それに応じ、最大４個のセカンダリコンポーネントキャリアに関連付けられる）を、プライマリセル（プライマリコンポーネントキャリアに関連付けられる）との集約のために構成することができる。Ｓｃｅｌｌは、ダウンリンクコンポーネントキャリア及びアップリンクコンポーネントキャリアの両方を有し得ず、アップリンクコンポーネントキャリアとダウンリンクコンポーネントキャリアとの間の関連付けが、各ダウンリンクコンポーネントキャリア上でＳＩＢ２においてシグナリングされる。プライマリセルが、ダウンリンク上でＰＤＣＣＨ及びＰＤＳＣＨを、アップリンク上でＰＵＳＣＨ及びＰＵＣＣＨをサポートするのに対し、セカンダリセルは、ダウンリンク上でＰＤＣＣＨ及びＰＤＳＣＨを、アップリンク上でＰＵＳＣＨをサポートするが、ＰＵＣＣＨはサポートしない。測定及びモビリティの手続きは、Ｐｃｅｌｌ上で取り扱われ、Ｐｃｅｌｌは、非活性化され得ない。Ｓｃｅｌｌは、動的に、例えばトラフィックの必要性に応じて、端末デバイスへのＭＡＣレイヤシグナリングにもかかわらず、活性化及び非活性化され得る。端末デバイス用のＳｃｅｌｌは、当該端末デバイスが閾値時間量にわたり、当該Ｓｃｅｌｌ上で送信リソース割り当てを何ら受信しない場合、自動的に非活性化（タイムアウト）されてもよい。
【００３９】
次に、現在の標準規格に基づいた、キャリアアグリゲーションのＬＴＥベースの実装のための物理レイヤ制御シグナリングの幾つかの局面を説明する。
【００４０】
各ダウンリンクコンポーネントキャリアは、通常のＬＴＥ制御チャネル、即ち、（Ｅ）ＰＤＣＣＨ、ＰＣＦＩＣＨ、及びＰＨＩＣＨを有する。しかしながら、キャリアアグリゲーションは、ＰＤＣＣＨ上において、いわゆるクロスキャリアスケジューリング（ＸＣＳ）の可能性を導入する。クロスキャリアスケジューリングをサポートするために、ＰＤＣＣＨ上のダウンリンク制御情報（ＤＣＩ）メッセージは、キャリアインジケータフィールド（ＣＩＦ）を含み、当該ＣＩＦは、どのコンポーネントキャリアに当該ＰＤＣＣＨメッセージが適用されるのかを示す３ビットを含む。ＣＩＦが存在しない場合、ＰＤＣＣＨは、その上で当該ＰＤＣＣＨが受信されるキャリアに適用されるものとして扱われる。クロスキャリアスケジューリングを提供するための動機は主として、重畳されるマクロセル及びスモールセルが同じ帯域内でキャリアアグリゲーションを運用し得る異種ネットワーク（ｈｅｔ−ｎｅｔ）シナリオを求めていることにある。それぞれ、マクロセルのＰＤＣＣＨシグナリングとスモールセルのＰＤＣＣＨシグナリングとの間の干渉の影響は、スモールセルが、自身のＰＤＣＣＨスケジューリングのために代替的コンポーネントキャリアを使用している間に、マクロセルに、（当該マクロセル全体にカバレージを提供するために）自身のＰＤＣＣＨシグナリングを１つのコンポーネントキャリア上で相対的に高い送信電力で送信させることにより、緩和させることができる。
【００４１】
ＰＤＣＣＨをサポートする制御領域は、コンポーネントキャリア間でサイズ（即ち、ＯＦＤＭシンボルの数）が異なり得、よって、それらコンポーネントキャリアは、異なるＰＣＦＩＣＨ値を搬送することができる。しかしながら、ｈｅｔ−ｎｅｔ実装内の制御領域における干渉の潜在性は、ＰＣＦＩＣＨが特定のコンポーネントキャリア上で復号され得ないことを意味し得る。そのため、現在のＬＴＥ標準規格は、ＰＤＳＣＨが各サブフレーム内のどのＯＦＤＭシンボルの上で開始することが想定され得るかについての半静的な標識を、各コンポーネントが搬送することを可能にする。制御領域のために実際に使用されるＯＦＤＭシンボルが、より少ない場合には、クロスキャリアスケジューリングされていない端末デバイスへのＰＤＳＣＨ送信のために、未使用の／予備のＯＦＤＭシンボルが使用され得るが、その理由は、当該端末デバイスが実際のＰＣＦＩＣＨを復号するためである。制御領域のために実際に使用されるＯＦＤＭシンボルが、より多い場合には、クロスキャリアスケジューリングされた端末デバイスに、何らかの程度の性能低下が生じるであろう。
【００４２】
ＰＨＩＣＨシグナリングは、当該ＰＨＩＣＨシグナリングが関連するＰＵＳＣＨ割り当てを含むＰＤＣＣＨシグナリングを送信したダウンリンクコンポーネントキャリア上で送信される。従って、１つのダウンリンクコンポーネントキャリアは、２つ以上のコンポーネントキャリアのためのＰＨＩＣＨを搬送し得る。
【００４３】
アップリンクにおいて、ＰＵＣＣＨの基本的な動作は、キャリアアグリゲーションの導入によって変更されない。しかしながら、複数のダウンリンクコンポーネントキャリアのための肯定応答シグナリング（ＡＣＫ／ＮＡＣＫシグナリング）の送信をサポートするために、新たなＰＵＣＣＨフォーマット（フォーマット３）が導入され、フォーマット１ｂには、それが搬送することのできるＡＣＫ／ＮＡＣＫビットの数を増大させるために幾つかの変更を行う。
【００４４】
良好なアップリンクチャネルのサウンディングをアシストするために、ＳＲＳ（サウンディングリファレンスシンボル）は、様々な送信が達成されるための適切な優先順位を確保するのを促進する、どのように複数のセルにわたるＰＵＳＣＨ、ＰＵＣＣＨおよびＳＲＳ上のシグナリングがアレンジされるかに関する特定の動作規則に従って、任意のサービングセル上で配置される。
【００４５】
現在のＬＴＥベースのキャリアアグリゲーションのシナリオでは、プライマリ同期シグナリング及びセカンダリ同期シグナリング（ＰＳＳ及びＳＳＳ）が、同じ物理レイヤセルＩＤ（ＰＣＩ）を用いて全てのコンポーネントキャリア上で送信され、コンポーネントキャリアは、全てが互いに同期される。これにより、セルサーチ及びセル発見の手続きを補助することができる。セキュリティ及びシステム情報（ＳＩ）に関する問題は、Ｐｃｅｌｌによって取り扱われる。特に、Ｓｃｅｌｌを活性化するとき、Ｐｃｅｌｌは、専用のＲＲＣシグナリングを使用して、当該Ｓｃｅｌｌについての関連するＳＩを端末デバイスに送付する。Ｓｃｅｌｌに関連するシステム情報が変化した場合、当該Ｓｃｅｌｌは、（１つのＲＲＣメッセージ内の）Ｐｃｅｌｌ  ＲＲＣシグナリングにより解放され、再追加される。例えばＰｃｅｌｌ帯域幅全体のチャネル品質の長期的ばらつきによるＰｃｅｌｌの変化は、改変されたハンドオーバ手続きを用いて取り扱われる。ソースＰｃｅｌｌは、関連するキャリアアグリゲーション（ＣＡ）情報の全てをターゲットＰｃｅｌｌに渡し、それにより、端末デバイスは、ハンドオーバの完了時に、割り振られたコンポーネントキャリアの全ての使用を開始することが可能となる。
【００４６】
ランダムアクセス手続きは主として、端末デバイスのためのＰｃｅｌｌのアップリンクコンポーネントキャリア上で取り扱われるが、競合解決シグナリングの幾つかの局面は、別のサービングセル（即ちＳｃｅｌｌ）にクロスキャリアスケジューリングされてよい。
【００４７】
上で注記したように、キャリアアグリゲーションは、ライセンスされた無線スペクトルを使用するように主として設計されたワイヤレス通信ネットワークにおいて、免許不要の無線スペクトルリソースを利用するための１つのアプローチである。大まかに概要を述べると、キャリアアグリゲーションベースのアプローチは、ワイヤレス電気通信ネットワークによる使用のためにライセンスされた無線スペクトルの領域内において、第１のコンポーネントキャリア（例えば、ＬＴＥ専門用語における、Ｐｃｅｌｌに関連付けられるプライマリコンポーネントキャリア）を構成して動作させるために使用され得、また、無線スペクトルの免許不要の領域において、１つ以上の更なるコンポーネントキャリア（例えば、ＬＴＥ専門用語における、Ｓｃｅｌｌに関連付けられるセカンダリコンポーネントキャリア）を構成して動作させるためにも使用され得る。無線スペクトルの免許不要の領域において動作するセカンダリコンポーネントキャリアは、免許不要の無線リソースが利用可能であるときに当該免許不要の無線リソースを利用することにより、無線スペクトルの免許不要の領域において機会主義的な態様で動作し得る。例えば、ポライトネスプロトコルと称され得るものを定義することにより、所与のオペレータが免許不要の無線リソースを利用することのできる程度を限定するための措置が存在してもよい。
【００４８】
知られているキャリアアグリゲーションスキームは、ライセンスされた無線スペクトルリソースと共に免許不要の無線スペクトルリソース（又は他の形式の共有無線リソース）を使用するための根拠となり得るものの、性能の最適化を補助するためには、知られているキャリアアグリゲーション技法に対する幾つかの改変が相応しいかもしれない。その理由は、免許不要の無線スペクトルにおける無線干渉が、特定のワイヤレスアプリケーションシステムによる使用のためにライセンスされた無線スペクトルの領域内で見られ得るよりも、より広い範囲の、未知であって予測不可能な、時間及び周波数の変動を受けやすいことが予期され得るためである。ＬＴＥ−Ａといった所与の技術に従って動作する所与のワイヤレス電気通信システムについて、免許不要の無線スペクトルにおける干渉は、同じ技術で動作する他のシステムから、又は、Ｗｉ−Ｆｉ、ブルートゥースまたは全地球航法衛星システム（ＧＮＳＳ）といった異なる技術に従って動作するシステムから、生じ得る。
【００４９】
したがって、免許不要のスペクトル動作を利用する端末デバイスとの通信は、端末デバイスの無線環境で動作する他のデバイスからの予測不可能な干渉を受ける可能性がある。これに関して、前述したように、他のデバイスは、同じ無線アクセス技術従って動作していてもよく（例えば、同じ免許不要のスペクトルを使用している別のＬＴＥネットワークに関連する他の端末デバイスであってもよい）、および／または、Ｗｉ−Ｆｉ、ＧＮＳＳのＢｌｕｅｔｏｏｔｈなど異なる無線アクセス技術に従って、免許不要のスペクトルで動作するデバイスであってもよい（ＧＮＳＳのコンテキストでは、端末デバイスは、通常、送信なしで受信を介して通信していることを理解されたい）。
【００５０】
デバイス間干渉の問題に加えて、端末デバイス自体内のソースから干渉の問題が発生する可能性がある。例えば、セルラー通信（例えば、ＬＴＥ）機能に加えて、端末デバイスが無線ＬＡＮ（例えば、Ｗｉ−Ｆｉ）、Ｂｌｕｅｔｏｏｔｈ及び衛星測位機能を備えていることが一般的になってきている。したがって、端末デバイスがセルラー通信のために無線リソースに確実にアクセスできることは、端末デバイスが同じく他の無線アクセス技術に関連するワイヤレス通信のために無線リソースにアクセスしている場合に影響を受ける可能性があり、その逆も同様である。この種のデバイス内干渉は、デバイス内共存（ＩＤＣ）干渉／ＩＤＣ問題と呼ばれることがある。いくつかの点では、ＩＤＣ干渉の問題は、端末デバイスにおいて異なるワイヤレス無線アクセス技術に関連するトランシーバ回路がすぐ近くにあるため、デバイス間干渉の問題よりも深刻であり得る。ＩＤＣの問題は、以前は、他の潜在的に干渉する無線アクセス技術によって使用される無線リソースを含む周波数帯域に隣接するライセンスされた帯域上で動作する従来のセルラー通信の状況において考えられていた。例えば、いくつかの地理的エリアでは、無線帯域２４００〜２４８３．５ＭＨｚ（産業科学医療用（ＩＳＭ）バンド）はＷｉ−ＦｉおよびＢｌｕｅｔｏｏｔｈ通信に使用され、隣接する帯域、たとえば２３００〜２４００ＭＨｚ帯域（ＴＤＤモードの場合バンド４０）、および２５００〜２５７０ＭＨｚ帯域（ＦＤＤモードＵＬの場合、バンド７）は有用なセルラー通信である。結果として、これらの帯域内のセルラー通信は、隣接するＩＳＭバンド内のＷｉ−ＦｉおよびＢｌｕｅｔｏｏｔｈ通信からの干渉を受けやすい可能性がある。全地球測位衛星システム（ＧＮＳＳ）は、様々な周波数で動作することができ、ＧＮＳＳ周波数あたりの周波数でのセルラー通信は、同様に、ＧＮＳＳ受信機を動作させる端末デバイスの能力を妨げる可能性がある。
【００５１】
ＬＴＥワイヤレス通信システムにおける帯域内干渉の状況におけるデバイス内共存干渉および提案される解決策に関連する問題の詳細は、関連する動作基準に関連する技術文書において見つけることができる。例えば、ＬＴＥベースのネットワークのコンテキストでは、ETSI  TR  136  816  V1  1  .2.0  (201  1  -12)  /  3GPP  TR  36.816  version  1  1  .2.0  Release  1  1  [7]は、デバイス内共存についての干渉回避のためのシグナリングおよび手順に関する研究を提供し、ETSI  TS  136  300  V12.2.0  (2014-06)  /  3GPP  TS  36.300  version  12.2.0  Release  12  [8]は、ＩＤＣの問題に採用されている解決策を記載する。たとえば、２３．４項を参照されたい。要約すると、この手法では、端末デバイスが、単独では解決できない、端末デバイスが測定するように構成されている周波数（測定対象）に関してＩＤＣ問題がいつ発生するかを識別し、その問題を報告するために、専用のＲＲＣシグナリングを介してネットワークに対応するＩＤＣ表示報告を送信する。現在のＬＴＥ標準によれば、この報告は、ETSI  TS  136  331  V12.2.0  (2014-06)  /  3GPP  TS  36.331  version  12.2.0  Release  12  [6]に記載された手法に従って、デバイス内共存表示（ＩｎＤｅｖｉｃｅＣｏｅｘＩｎｄｉｃａｔｉｏｎ）メッセージとして送信される。シグナリングの概要についてはセクション５．６．９を、メッセージフォーマットの概要についてはセクション６．２．２を参照されたい。端末デバイスの潜在的な問題を示すデバイス内共存表示報告を受信すると、ネットワークは、次いで、問題を緩和しようとして適切な処置をとり得る。これは、例えば、端末デバイスの通信を別のキャリア周波数にハンドオーバーすること、または端末デバイスを現在のキャリア周波数上の時分割複信ソリューション用に構成すること含み得る。
【００５２】
ＩＤＣの問題を処理するための既存の手法は、例えばＬＴＥ−Ｕ動作モードなど、他の無線アクセス技術と同じ周波数（隣接周波数とは対照的に）でセルラー通信が行われる状況を考慮していない。本発明者は、ＩＤＣの問題を処理するための既存の手法の変更が、例えば、Ｂｌｕｅｔｏｏｔｈ、ＷＬＡＮ（例えば、Ｗｉ−Ｆｉ）、ＧＮＳＳなど、他のワイヤレスアクセス技術に関連するワイヤレス通信のために免許不要の無線スペクトルも使用するデバイスにおいて免許不要の無線スペクトルを使用してセルラー通信を最適化するためにどのように必要となり得るかを認識している。
【００５３】
図４は、本開示の実施形態による電気通信システム４００を概略的に示す。この例における電気通信システム４００は、大まかには、ＬＴＥタイプのアーキテクチャに基づく。このように、電気通信システム４００の動作の多くの局面は、標準的なものであって十分に理解されており、簡潔にするために、ここでは詳細に説明しない。ここで具体的に説明しない電気通信システム４００の動作上の局面は、知られている技法のいずれかに従って、例えば、確立されたＬＴＥ標準規格及びその既知のバリエーションに従って、実装されてよい。
【００５４】
電気通信システム４００は、無線ネットワーク部分に結合されたコアネットワーク部分（拡張パケットコア）４０２を備える。無線ネットワーク部分は、基地局（拡張ノードＢ）４０４、第１の端末デバイス４０６、及び第２の端末デバイス４０８を備える。実際には無線ネットワーク部分が、種々の通信セルの全体にわたり、より多くの数の端末デバイスにサービスする複数の基地局を備え得ることが、当然ながら認識されるであろう。しかしながら、図４では、明解にするために１つの基地局及び２つの端末デバイスしか示していない。
【００５５】
図４には、セルラ電気通信システム４００自体の一部分ではないが、互いにワイヤレスの態様で通信するように動作可能であり、且つ、電気通信システム４００の無線環境内で動作している、幾つかの他のデバイスも示されている。特に、Ｗｉ−Ｆｉ標準規格に従って動作する無線リンク４１８を介して互いに通信する１対のワイヤレスアクセスデバイス４１６と、ブルートゥース標準規格に従って動作する無線リンク４２２を介して互いに通信する１対のブルートゥースデバイス４２０とが存在する。これら他のデバイスは、電気通信システム４００にとって潜在的な無線干渉源となる。実際、ワイヤレス電気通信システム４００の無線環境内で動作するこのようなデバイスが、典型的にはより多く存在しており、図４では明解にするために、２対のデバイス４１６及び４２０しか示されていないことが認識されるであろう。
【００５６】
従来のモバイル無線ネットワークにおけるように、端末デバイス４０６及び４０８は、基地局（送受信局）４０４へ及び基地局（送受信局）４０４からワイヤレスの態様でデータを通信するように配置される。基地局は、次いで、コアネットワーク部分内のサービングゲートウェイ（Ｓ−ＧＷ）（図示せず）に通信可能に接続され、当該Ｓ−ＧＷは、基地局４０４を介して電気通信システム４００内における端末デバイスへのモバイル通信サービスのルーティング及び管理を実施するように配置される。モビリティ管理及び接続性を維持するために、コアネットワーク部分４０２は、ホーム加入者サーバ（ＨＳＳ）に記憶された加入者情報に基づき、通信システム内で動作する端末デバイス４０６及び４０８との拡張パケットサービス（ＥＰＳ）接続を管理するモビリティ管理エンティティ（図示せず）も含む。コアネットワーク内の他のネットワークコンポーネント（明解にするために、やはり図示せず）には、ポリシー課金及びリソース機能（ＰＣＲＦ）と、コアネットワーク部分４０２から外部パケットデータネットワーク、例えばインターネットへの接続を提供するパケットデータネットワークゲートウェイ（ＰＤＮ−ＧＷ）と、が含まれる。上で注記したように、図４に示す通信システム４００の種々の要素の動作は、ここで論じられるような、この開示の実施形態に従って機能性を提供するように改変された部分を除き、大まかには従来通りであり得る。
【００５７】
端末デバイス４０６及び４０８の各々は、ワイヤレス信号の送受信のための送受信機ユニット４０６ａ及び４０８ａと、それぞれのデバイス４０６及び４０８の動作をこの開示の実施形態に従って制御するように構成されるコントローラユニット４０６ｂ及び４０８ｂと、を備える。それぞれのコントローラユニット４０６ｂ及び４０８ｂは、各々がプロセッサユニットを備え得、当該プロセッサユニットは、ワイヤレス電気通信システム内の機器のための従来のプログラミング／構成の技法を使用して、ここに記載される所望の機能性を提供するように適切に構成される／プログラミングされる。端末デバイス４０６及び４０８の各々について、それらのそれぞれの送受信機ユニット４０６ａ及び４０８ａ、並びにコントローラユニット４０６ｂ及び４０８ｂは、図４では、表現を容易にするために別個の要素として概略的に示されている。しかしながら、認識されるであろうことは、各端末デバイスにとって、これらのユニットの機能性が、種々の異なる方式で、例えば、適切にプログラミングされた単一の汎用コンピュータ若しくは適切に構成された特定用途向け集積回路／回路を使用して、又は、所望の機能性の異なる要素を提供するための複数のディスクリートな回路／処理要素を使用して、提供されることが可能であるという点である。端末デバイス４０６及び４０８が一般に、確立されたワイヤレス電気通信技法に従ってそれらの動作機能性に関連付けられる種々の他の要素（例えば、電源、可能性としてユーザインタフェースなど）を備えることが認識されるであろう。
【００５８】
ワイヤレス通信の分野では一般的になっているように、端末デバイス４０６、４０８は、複数の異なる無線アクセス技術に従って無線通信をサポートする。例えば、ＬＴＥのようなセルラー通信無線アクセス技術に従って基地局とワイヤレス通信することに加えて、端末デバイス４０６、４０８は、ワイヤレスローカルエリアネットワーク無線アクセス技術（例えば、Ｗｉ−Ｆｉ）、近距離無線アクセス技術（例えば、Ｂｌｕｅｔｏｏｔｈ）、およびグローバルナビゲーション衛星システム無線アクセス技術（例えば、ＧＰＳ）のような他の無線アクセス技術に従って他のデバイスとも通信し得る。したがって、図４に表されている端末デバイス４０６、４０８は、セルラー／モバイル通信機能に加えて、Ｗｉ−Ｆｉ、ＢｌｕｅｔｏｏｔｈおよびＧＰＳ機能をサポートする。その結果、それぞれの端末デバイス４０６、４０８は、非セルラー無線アクセス技術を使用してネットワーク内で動作する他のデバイスと通信することもできる。この非セルラー機能のいくつかの例が図４に概略的に図４に表されており、第１の端末デバイス４０６は、Ｗｉ−Ｆｉ無線アクセス技術基準に従って動作するワイヤレスリンク４２４を介してワイヤレスアクセスデバイス４１６のうちの１つと通信し、第２の端末デバイスは、Ｂｌｕｅｔｏｏｔｈ無線アクセス技術基準に従って動作するワイヤレスリンク４２６を介してＢｌｕｅｔｏｏｔｈデバイス４２０のうちの１つと通信し、第１の端末デバイス４０６は、全地球測位衛星システム無線アクセス技術に従って動作する対応するワイヤレスリンク４３０を介して複数の全地球測位衛星４２８から全地球測位衛星シグナリングを受信する。
【００５９】
したがって、それぞれの端末デバイスのトランシーバユニット４０６ａ、４０８ａは、異なるワイヤレス通信動作基準に従って動作可能な機能モジュールを備え得る。例えば、端末デバイスのトランシーバユニットは各々、ＬＴＥベースの動作基準に従ってワイヤレス通信をサポートするためのＬＴＥトランシーバモジュールと、ＷＬＡＮ動作基準に従ってワイヤレス通信をサポートするためのＷｉ−Ｆｉトランシーバモジュールと、Ｂｌｕｅｔｏｏｔｈ動作基準に従ってワイヤレス通信をサポートするためのＢｌｕｅｔｏｏｔｈトランシーバモジュールと、ＧＮＳＳ動作基準に従ってワイヤレス通信をサポートするためのＧＰＳトランシーバモジュールとを備え得る。ＧＰＳトランシーバモジュールは、一般に、受信機能に制限されるが、それにもかかわらず、ここでは用語の便宜のためトランシーバモジュールと呼ばれることを理解されよう。異なるトランシーバモジュールの基礎を成す機能は、従来の技術に従って提供され得る。例えば、端末デバイスは、各トランシーバモジュールの機能を提供するために別個のハードウェア要素を有し得る、あるいは、端末デバイスは、複数のトランシーバモジュールの機能の一部または全部を提供するように構成可能な少なくともいくつかのハードウェア要素を備え得る。したがって、図４に表される端末デバイス４０６、４０８のトランシーバユニット４０６ａ、４０８ａは、ここでは、従来のワイヤレス通信技術に従ってＬＴＥトランシーバモジュール、Ｗｉ−Ｆｉトランシーバモジュール、Ｂｌｕｅｔｏｏｔｈトランシーバモジュール、およびＧＰＳトランシーバモジュールの機能を提供すると仮定される。
【００６０】
基地局４０４は、ワイヤレス信号の送受信のためのトランシーバユニット４０４ａと、基地局４０４を制御するように構成されたコントローラユニット４０４ｂとを備える。コントローラユニット４０４ｂは、ワイヤレス通信システムにおける機器のために従来のプログラミング／構成技術を使用して本明細書に記載された所望の機能を提供するように適切に構成／プログラムされたプロセッサユニットを備え得る。トランシーバユニット４０４ａおよびコントローラユニット４０４ｂは、表現を容易にするために別個の要素として図４に概略的に示されている。しかし、これらのユニットの機能は、例えば適切にプログラムされた単一の汎用コンピュータ、もしくは適切に構成された特定用途向け集積回路を使用する、または所望の機能の異なる要素を提供するための複数の個別の回路／処理要素を使用するなど、様々な異なる方法で提供され得ることを理解されよう。基地局４０４は、一般に、その動作機能に関連する様々な他の要素を備えることを理解されよう。例えば、基地局４０４は、一般に、通信のスケジューリングを担当するスケジューリングエンティティを備える。スケジューリングエンティティの機能は、例えば、コントローラユニット４０４ｂによって含まれてもよい。
【００６１】
したがって、基地局４０４は、それぞれ第１および第２の無線通信リンク４１０、４１２を介して第１および第２の端末デバイス４０６、４０８とデータを通信するように構成される。ワイヤレス通信システム４００は、第１および第２の無線通信リンク４１０、４１２が各々複数のコンポーネントキャリアによって提供されるワイヤレスアクセスインターフェースを備えるキャリアアグリゲーション動作モードをサポートする。例えば、各無線通信リンクは、１つのプライマリコンポーネントキャリアと、１つ以上のセカンダリコンポーネントキャリアとを含み得る。さらに、本開示のこの実施形態によるワイヤレス通信システム４００を備える要素は、免許不要のスペクトルモードでのキャリアアグリゲーションをサポートすると仮定される。この免許不要のスペクトルモードでは、基地局は、ワイヤレス通信システムによる使用のためにライセンスされている第１の周波数帯域内の無線リソース上で動作するプライマリコンポーネントキャリアと、ワイヤレス通信システムによる排他的使用のためにライセンスされていない第２の周波数帯域内の無線リソース上で動作する１つ以上のセカンダリコンポーネントキャリアとを使用して、端末デバイスと通信する。第１の周波数帯域は、本明細書ではライセンスされた周波数帯域と呼ばれることがあり、第２の周波数帯域は、本明細書では免許不要の（Ｕ）周波数帯域と呼ばれることがある。たとえば図４に表されるようなＬＴＥベースのワイヤレス通信システムのコンテキストでは、免許不要の周波数帯域での動作は、ＬＴＥ−Ｕ動作モードと呼ばれ得る。第１の（ライセンスされた）周波数帯域は、ＬＴＥ帯域（または特にＬＴＥ−Ａ帯域）と呼ばれ、第２の（免許不要の）周波数帯域はＬＴＥ−Ｕ帯域と呼ばれ得る。ＬＴＥ−Ｕ帯域上のリソースは、Ｕリソースと呼ばれ得る。Ｕ−リソースを利用できる端末デバイスは、Ｕ端末デバイス（またはＵ−ＵＥ）と呼ばれ得る。より一般的には、修飾子「Ｕ」は、本明細書では、免許不要の周波数帯域に関する動作を便宜的に識別するために使用され得る。
【００６２】
本開示の実施形態によるキャリアアグリゲーション技術の使用および免許不要のスペクトルリソース（すなわち、中央の調整なしに他のデバイスによって使用され得るリソース）の使用は、一般に、たとえば、上述したような動作モードのために以前に提案された原理であって、しかし、本開示の実施形態に従って追加の機能を提供するために、本明細書に記載した修正を加えたものに基づき得ることを理解されよう。したがって、本明細書で詳細に説明されていないキャリアアグリゲーションおよび免許不要のスペクトル動作の態様は、既知の技術に従って実施され得る。
【００６３】
次に、本開示のいくつかの実施形態による、図４に表されるワイヤレス通信ネットワーク４００の動作モードについて説明する。これらの実施形態の一般的なシナリオは、キャリアアグリゲーション対応端末デバイスが通常通りＬＴＥ−Ａセル内で動作しており、基地局は、ＬＴＥ−Ｕ対応端末デバイスを、ＬＴＥ−Ｕリソースを使用する追加のアグリゲートキャリアで構成するべきであることを決定するものと仮定される。基地局が、ＬＴＥ−Ｕベースのキャリアアグリゲーションのために特定の端末デバイスを構成すべきであると決定する特定の理由は重要ではない。したがって、ＬＴＥ−Ａキャリアは、端末デバイスのためのＰｃｅｌｌを提供し、ＬＴＥ−Ｕリソースは、端末デバイスのための１つ以上のＳｃｅｌｌを提供する。ＬＴＥ−Ａリソースは、従来のキャリアアグリゲーション技術に従って、１つ以上のさらなるＳｃｅｌｌに関連するコンポーネントキャリアを提供するために使用されてもよいことを理解されよう。図４を参照して説明した例では、ライセンスされた周波数帯域におけるＬＴＥ−Ａ送信、および免許不要の周波数帯域におけるＬＴＥ−Ｕ送信、ならびにしたがってＰｃｅｌｌおよびＳｃｅｌｌは両方とも同じ基地局４０４から作られるが、これは、他の例示的な実施形態ではそうでない可能性がある。ＬＴＥ−Ｕキャリアは、一般に、ＴＤＤ（時分割複信）またはＦＤＤ（周波数分割複信）フレーム構造で利用することができる。しかし、いくつかの領域における免許不要のスペクトル使用に関する既存の規制のいくつかの態様の結果は、ＴＤＤまたはダウンリンクのみのＦＤＤ動作が、少なくとも現在、可能性が高いことを意味する。
【００６４】
図５は、本開示のいくつかの実施形態による、図４に概略的に表される端末デバイス（ＵＥ）４０６、４０８のうちの１つおよび基地局（ｅＮＢ）４０４についての動作モードを概略的に示すシグナリングラダー図である。この動作は、本開示のいくつかの実施形態による、第１の周波数帯域内の無線リソース上で動作する（プライマリセルに関連する）プライマリコンポーネントキャリアと、第２の周波数帯域内の無線リソース上で動作する（セカンダリセルに関連する）セカンダリコンポーネントキャリアとを使用する、第１の無線アクセス技術（例えば、ＬＴＥベースの無線アクセス技術）による基地局と端末デバイスとの間の通信をサポートするためのものである。上述したように、第１の周波数帯域は、セルラー通信のためのワイヤレス通信システム４００のオペレータによる専用の使用のためにライセンスされたリソースに対応するものであり、第２の周波数帯域は、端末デバイスがサポートし得る他のワイヤレス通信技術によって共有されるリソースに対応するものである。
【００６５】
要約すると、本開示のいくつかの実施形態は、端末デバイスが、端末デバイスと通信するために基地局によって構成される無線リソースと、端末デバイスが別の無線アクセス技術に従って通信し、重複がある場合に基地局に報告するために使用することを望む無線リソースとの間に重複（競合）があるかどうかを判定する概念を導入する。基地局は、次いで、端末デバイスと通信するための無線リソースの新しい構成を選択し、以下でさらに説明するように、これを端末デバイスに送信することによって応答し得る。
【００６６】
図５に概略的に示されている本開示のいくつかの実施形態による処理は、端末デバイスがプライマリキャリアに関連するプライマリセル上での動作のために構成されているが、セカンダリキャリアに関連付けられたセカンダリセル上での動作のためにまだ構成されていない段階から開始するように示されている。これは、例えば、端末デバイスが単にプライマリセルに接続されただけである、または以前のセカンダリセル構成がもはや有効でないためであり得る。この例では、ＵＥは、図５に表される処理の開始時に、そのＷｉ−Ｆｉ、Ｂｌｕｅｔｏｏｔｈ、またはＧＰＳ機能を使用する任意の他のデバイスとワイヤレス通信していないとも仮定されるが、これは特に重要ではない。
【００６７】
ステップＳ１において、基地局は、第２の周波数帯域における無線の使用の測定を確立する。いくつかの例示的な実装形態では、基地局は、それ自体、第２の周波数帯域にわたる異なる周波数での無線の使用を測定することができるが、この例では、端末デバイスがこれらの測定を行い、それらを基地局に報告すると仮定する。つまり、この例示的な実装形態では、基地局は、端末デバイス（および／またはワイヤレス通信システムで動作する他の端末デバイス）から受信された報告から第２の帯域（免許不要の帯域）にわたる無線の使用を確立する。この情報は、セカンダリコンポーネントキャリアが免許不要の周波数帯域における端末デバイスとのセルラー通信をサポートするように構成されているかどうか、もしそうであれば、どのように構成され得るかを基地局が決定するのを助けることができる。
【００６８】
したがって、端末デバイスは、その環境での第２周波数帯域における無線の使用の測定を行う。特に、端末デバイスは、第２の周波数帯域にわたる異なる周波数での無線の使用の程度を測定する。例えば、端末デバイスは、そのＷＬＡＮトランシーバモジュールを使用して、他のワイヤレス通信デバイス、例えばＷｉ−Ｆｉアクセスポイントに関連するアクティビティをスキャンし得る。これから、端末デバイスは、例えば、他のワイヤレス通信デバイスによって使用される周波数リソースの表示、および／または他のワイヤレス通信デバイスに関連するワイヤレス通信のための受信信号強度の表示、および／または、他のワイヤレス通信デバイスの識別子（例えば、ＳＳＩＤ）の表示を確立し得る。端末デバイスは、他の動作基準、例えばＢｌｕｅｔｏｏｔｈおよび／または他のＬＴＥネットワークに従って動作する他のデバイスによって、第２の周波数帯域における無線の使用のスキャンも行い得る。いくつかの実施形態では、端末デバイスは、異なる技術によって無線の使用を別々に測定するのではなく、単に、第２の周波数帯域にわたる異なる周波数でのその環境における無線信号（無線ノイズを含み得る）の総計レベルを測定し得る。次いで、端末デバイスは、第２の周波数帯域にわたる異なる周波数での無線の使用の測定の表示を基地局に送信する。これは、例えば、測定報告ＲＲＣシグナリングの確立された原理に従うなど、従来のシグナリング技術に従って、端末デバイスが接続されている既に構成されたプライマリセル上のアップリンク無線リソース上で行われ得る。基地局は、端末デバイスから受信された第２の周波数帯域における無線の使用に関する測定情報に基づいて、図５に表されるステップＳ１において、セカンダリ帯域にわたる無線の使用を確立する。
【００６９】
ステップＳ２において、基地局は、ステップＳ１で確立された第２の周波数帯域における無線の使用に基づいて、セカンダリコンポーネントキャリアの構成設定を決定する。例えば、構成設定は、第２の周波数帯域内から選択された送信リソース（例えば、時間および／または周波数リソースに関して）を、セカンダリコンポーネントキャリアに使用するように定義することができる。基地局は、既存の使用の測定値に基づいて競合的（日和見的）な無線環境で使用するのに適切な送信リソースを選択するための任意の確立された技術に従って、無線の使用の受信された測定値からセカンダリセル構成に適切な送信リソースを決定し得る。例えば、基地局は、端末デバイス測定報告が比較的高い程度の無線の使用を示す第２の周波数帯域の領域において無線リソースを構成することを回避しようとし、代わりに、比較的低い程度の無線の使用を有するスペクトル領域において無線リソースを使用するセカンダリキャリアの構成を優先的に選択し得る。
【００７０】
一般に、他の無線アクセス技術（すなわち、セルラー無線アクセス技術とは異なる無線アクセス技術）によっても使用される無線スペクトルの一部における端末デバイスとのセルラー通信をサポートするためのセカンダリキャリアに適切な構成設定を決定する（例えば、適切なキャリア周波数を決定する）プロセスは、任意の以前に提案された技術に従って実行され得る。
【００７１】
ステップＳ３において、基地局は、セカンダリキャリアについての選択された構成設定の表示を端末デバイスに送信する。これは、例えば、無線ベアラ（再）構成メッセージＲＲＣシグナリングの確立された原理に従うなど、従来のシグナリング技術に従って、すでに構成されたプライマリセル上のダウンリンク無線リソース上で行われ得る。本開示のいくつかの実施形態によれば、セカンダリキャリアについての選択された構成設定の表示は、本開示の実施形態によるデバイス内共存（ＩＤＣ）報告を可能にするための表示と関連付けられ得る。いくつかの実装形態では、これは、ＩＤＣ報告が関連する構成に関して端末デバイスによって行われるべきかどうかを積極的に示すために基地局によって設定され得る専用フラグを含み得る。このフラグは、例えば、ステップＳ３で使用されたタイプの無線ベアラ再構成シグナリングのために定義された新しい情報要素で伝達され得る。他の実装形態では、シグナリングステップＳ３に関連する構成された無線リソースに関するＩＤＣ報告のトリガは、暗黙的であってもよく、例えば、（無線スペクトルの免許不要の部分に対応する）無線スペクトルの所定の部分に関連する無線リソースに関する従来の無線ベアラ再構成メッセージを単に受信することは、以下でさらに説明するように、本開示のいくつかの実施形態に従ってＩＤＣ報告を可能にするための表示として端末デバイスによって解釈され得る。この点に関して、端末デバイスは、実質的に、ステップＳ３において、ＩＤＣ報告を可能にするための表示を受信することに応答して、セカンダリキャリアをサポートするように構成された無線リソースに関して測定対象を確立するように構成され得る。すなわち、端末デバイスは、リソースを測定対象として識別する特定の測定構成設定を必ずしも受信することなく、関連の無線リソースが監視されるべきであると決定し得る。
【００７２】
ステップＳ３においてセカンダリキャリアを構成するシグナリングを受信することに応答して、端末デバイスは、例えば、トランシーバ回路を適切に調整することによって、基地局から受信された構成設定情報に従って、そのトランシーバユニット（および特に、そのトランシーバユニットのＬＴＥトランシーバモジュールコンポーネント）を構成する。これは、無線ベアラ構成設定のための従来の技術に従って形成され得る。次いで、基地局は、セカンダリコンポーネントキャリアのための最新の構成設定に従って構成されたプライマリキャリアおよびセカンダリキャリアを使用して端末デバイスとの通信を開始し得る。これは、確立されたキャリアアグリゲーション技術に基づいて、および、免許不要の周波数スペクトルを使用するために以前に提案された技術を使用して行われ得る。この潜在的に進行中のセルラー通信の態様の動作は、図５には表されていない。
【００７３】
ステップＳ４において、端末デバイスは、第２のキャリアのために構成された無線リソース、および端末デバイスが別の無線アクセス技術、例えばＷｉ−Ｆｉに従って通信するために使用したいリソースに関して、デバイス内共存競合の監視を開始する。すなわち、第１の無線アクセス技術（すなわち、この例ではＬＴＥセルラー通信）による基地局との通信のために端末デバイスが使用するための第２の周波数帯域内の無線リソースの構成の表示を基地局から受信して、端末デバイスは、第２の無線アクセス技術（例えば、Ｗｉ−Ｆｉ）に従って通信するために端末デバイスが使用するための第２の周波数帯域内の無線リソースの構成を確立する。Ｗｉ−Ｆｉ通信のために使用されるべきリソースの構成は、従来の技術に従って確立され得る。ステップＳ４の監視は、端末デバイスが、継続的に、第１の無線アクセス技術に従って通信するために端末デバイスによって使用されるように構成された無線リソース（すなわち、セカンダリキャリアをサポートするように構成された無線リソース）と、第２の無線アクセス技術に従って通信するために端末デバイスによって使用されるように構成された無線リソース（すなわち、端末デバイスがＷｉ−Ｆｉ通信のために必要とする無線リソース）とに重複があるかどうかを判定することに対応する。ステップＳ４の監視は、従来の周波数間ＩＤＣ監視に使用されるものに対応する監視スケジュールに従って実行され得る。
【００７４】
図５に表される処理では、ステップＳ５において、端末デバイスは、セカンダリキャリアによって使用されるように構成された無線リソースと、端末デバイス自体のＷｉ−ＦｉモジュールがＷｉ−Ｆｉ通信に必要とする無線リソースとに関して重複（競合）があると決定する。すなわち、端末デバイスは、現在セカンダリキャリアをサポートするように構成されている無線リソースがＷｉ−Ｆｉ通信をサポートするためにも必要とされると決定する（この例は、競合するＷｉ−Ｆｉ通信のコンテキストで説明されているが、同じ原理が、ＢｌｕｅｔｏｏｔｈおよびＧＰＳ通信、またはより一般的には、セカンダリキャリア上の基地局との通信に使用される無線アクセス技術とは異なる、端末デバイスによってサポートされる任意の無線アクセス技術によるあらゆる通信に適用されることが理解されよう）。
【００７５】
ステップＳ６において、端末デバイスは、重複の存在を示すために重複／競合報告を基地局に送る。これは、プライマリキャリアに関連するアップリンク無線リソース上で送られ得る。いくつかの実施形態によれば、この競合報告は、一般に、例えば、［６］、［７］および［８］に記載された原理に従って、周波数間ＩＤＣ干渉問題を報告するための既存のフォーマットに準拠し得る。ＬＴＥコンテキストでは、周波数間ＩＤＣ干渉問題を報告するためのデバイス内共存表示メッセージフォーマットが定義される。これに関して、従来のデバイス内共存表示メッセージは、端末デバイスの測定対象として構成された周波数に関してのみフィードバックを提供することができる。さらに、従来のデバイス内共存表示メッセージにより端末デバイスが基地局に伝達することができる情報の量は限られている。例えば、端末デバイスは、周波数間ＩＤＣの影響を受ける周波数および干渉の方向（すなわち、ＬＴＥ通信が干渉を引き起こしているか、干渉されているか、または両方であるか）を示すことができる。したがって、本開示のいくつかの実施形態によれば、セカンダリキャリアのために構成された無線リソースが、非セルラー無線アクセス技術に従って通信するために必要な無線リソースとの重複に関連付けられているかどうかを示すために、既存のデバイス内共存表示メッセージフォーマットに新しい情報要素を導入することが提案される。すなわち、端末デバイスは、重複がないことを示すためにある値に設定され、重複を示すために別の値に設定された対応する情報要素を含む構成されたセカンダリキャリアに関連するエントリでデバイス内共存表示メッセージを構成するように構成され得る。これに関して、重複があることを示すためにネットワークに送信されるシグナリングは、無線リソース制御、ＲＲＣ、シグナリングを含み得る。しかし、本開示の他の実施形態による、重複／競合の表示をネットワークに報告することができる多くの異なる方法があり、これらのいくつかの例を以下でさらに説明することを理解されよう。
【００７６】
ステップＳ７において、基地局は、ステップＳ６で端末デバイスから重複の表示を受信すると、セカンダリコンポーネントキャリアのための置換構成設定を決定する。ステップＳ６は、上述のステップＳ２とほぼ同様に実行され得るが、第２の（免許不要の／共有の）周波数帯域にわたる無線の使用の測定値を考慮することに加えて、基地局は、端末デバイスから受信された重複報告も考慮し、特に、ステップＳ７において確立された置換構成設定において重複が示される点についていかなる無線リソースをも構成を回避する。
【００７７】
図５に表される処理では、基地局がセカンダリキャリアについての適切な置換構成設定を決定できると仮定する。しかし、いくつかの場合には、免許不要の周波数帯域にわたる現在の無線の使用および／または重複が、基地局が適切な置換構成を決定することを妨げる可能性がある。例えば、セカンダリキャリアのために利用可能な潜在的な構成の数が限られており、これらは、その非セルラー通信をサポートするために端末デバイスによって必要とされる無線リソースと重複するため、すべてが不適切である場合、基地局は、現時点ではセカンダリキャリア動作のために端末デバイスを構成することができないと決定し得る。この場合、基地局は、単に、置換構成を提供しようとせず、ステップＳ３で以前受信された構成設定がもはや有効ではないと考えられることを端末デバイスに示すだけであり得る。これは、従来の解放シグナリングを送ることによって行われ得る。
【００７８】
しかし、図５の処理では、基地局は、ステップＳ７において適切な置換構成を決定することができ、ステップＳ８において、基地局は、セカンダリキャリアのために選択された置換構成設定の表示を端末デバイスに送信すると仮定する。このステップは、以前決定された構成設定についてステップＳ３に関して上述したのと同じ方法で実行され得る。ステップＳ９において、セカンダリキャリアのための置換構成が、端末デバイスがステップＳ６において重複があることを示した無線リソースを含むかどうかを端末デバイスが判定する。
【００７９】
そうでない場合、端末デバイスは、上述のように普通に動作を開始し得る。すなわち、端末デバイスは、基地局とのセルラー通信のためにセカンダリキャリアをサポートするように現在構成されている無線リソースと、異なる無線アクセス技術に従って通信するために必要とされる無線リソースとの重複の発生の監視も引き続き行いながら、必要に応じて通信を行うことができる。Ｗｉ−Ｆｉ、Ｂｌｕｅｔｏｏｔｈ、およびＧＰＳなど他の無線アクセス技術に従って通信するために必要な無線リソースは、端末デバイスの現在のアクティビティに従って時間とともに変化し得ることを理解されよう。例えば、ある時点では、端末デバイスは、いかなるＷｉ−Ｆｉ通信も行っていない可能性があり、他の時点では、Ｗｉ−Ｆｉ通信を行っている可能性がある。さらに、端末デバイスがあるＷｉ−Ｆｉアクセスポイントへの接続から別のＷｉ−Ｆｉアクセスポイントへの接続に切り替わる可能性があり、したがって、Ｗｉ−Ｆｉ通信をサポートするために必要な無線リソースの構成が変更される可能性があり、これは、セルラー通信のための無線リソースの既存の構成との重複を引き起こす可能性がある。
【００８０】
しかし、ステップＳ９において、ステップＳ８で基地局から受信された置換構成が、端末デバイスが重複下にあると以前示した無線リソースを含むと決定された場合、端末デバイスは、ステップＳ８で受信された構成を無効な構成として扱うように構成され得る。すなわち、端末デバイスは、その能力に従って採用できなかった構成を採用するように指示されたのと同じ様に反応し得る。例えば、端末デバイスは、そのような場合に、セカンダリコンポーネントキャリアに関して無線リソース制御、ＲＲＣ、アイドルモードに戻り得る。別の実装形態では、端末デバイスは、単に、前の構成に関してステップＳ６で送られたシグナリングに対応する置換構成に関して別の競合報告を送るだけであり得る。
【００８１】
したがって、図５に表される処理は、別の無線アクセス技術に従って通信するために端末デバイスによって使用され得るスペクトルの領域内のセカンダリコンポーネントキャリアをサポートするための無線リソースの現在の構成を、セカンダリキャリアをサポートするために使用することができないことを、端末デバイスが基地局に示すことを可能にするためのスキームを提供する。
【００８２】
本開示の実施形態の異なる実装形態に従って採用することができる図５に表された処理の多くの変形があることを理解されよう。
【００８３】
例えば、新しい情報要素を既存のデバイス内共存表示メッセージフォーマットに導入するのではなく、既存のデバイス内共存表示メッセージフォーマットの現在のフィールドを再利用して、デバイス内共存表示メッセージ内の対応するエントリが関連する無線リソースに関する重複の表示を提供することができる。例えば、ＬＴＥコンテキストでは、既存のデバイス内共存表示メッセージフォーマットの干渉方向フィールドに関する情報要素内で利用可能な未使用（すなわち予備）の値が現在存在する。本開示のいくつかの実施形態によれば、この値は、デバイス内共存表示メッセージ内の対応するエントリが関係する無線リソースが、端末デバイスが別のワイヤレスアクセス技術に従って通信するために使用しようとしているリソースとの重複下にあることを示すために、端末デバイスによって選択的に設定され得る。
【００８４】
他の例示的な実装形態では、図５に表される処理のステップＳ６で送信された報告シグナリングは、ＲＲＣシグナリングを使用してデバイス内共存表示メッセージの一態様として送られないことがある。例えば、この情報を伝達するために専用のシグナリングフォーマットが確立され得る。あるいは、重複の表示を提供するために、既存の報告プロセスが再度行われ得る。例えば、端末デバイスは、基地局によって現在構成されているセカンダリキャリアに関するＣＱＩ報告を提供するように構成され得、ＣＱＩ値は、関連する無線リソースに関する重複の表示に対応するようにあらかじめ定義され得る。したがって、端末デバイスは、別の無線アクセス技術に従って通信するために関連する無線リソースを使用するための端末デバイスの必要性と競合／重複があると決定されるまで、通常の方法で、構成されたセカンダリキャリアに関してＣＱＩ報告を提供することができ、この場合、重複のために無線チャネルが使用不能であることを示すときに使用するものとしてあらかじめ定義されたＣＱＩ値を伝達するＣＱＩ報告を提供し得る。重複を示すために使用する関連のＣＱＩ値は、ワイヤレス通信システムの基準に従って指定され、または、基地局と端末デバイスとの間の事前通信において確立され得る。この手法は、いくつかの場合には、デバイス内共存表示メッセージに関連するＲＲＣシグナリングオーバーヘッドの必要がないので、より高速なフィードバックを提供し得る。
【００８５】
無線リソースの競合／重複の存在を示す報告は、基地局が適切な更新された構成設定を確立するのを助けるのに有用であり得る追加の情報を基地局にさらに伝達し得ることを理解されよう。例えば、報告は、無線リソースが、セカンダリキャリアおよび免許不要の帯域をサポートするように構成された無線リソースと重複している無線アクセス技術の性質も示し得る。例えば、報告は、重複が、ワイヤレスローカルエリアネットワーク通信、またはＢｌｕｅｔｏｏｔｈ通信、またはＧＰＳ受信機通信に関することを示し得る。例えば、帯域幅および識別された重複の可能性のある期間に関して、異なるタイプの通信が異なる動作プロファイルを有することを予想することができるので、この種の追加の情報は、いくつかの状況では、基地局がセカンダリキャリア無線リソースのための適切な再構成を選択するのを助け得る。
【００８６】
図５に表される処理は、基地局が端末デバイスにセカンダリキャリアのための単一の現在の構成設定を提供する手法に基づく。しかし、単一のセカンダリキャリアについて複数の潜在的な構成設定が確立される手法が提案されている。これは、例えば、免許不要の無線帯域上の変化する無線状態に応じて、基地局が構成設定間でより迅速に切り替わることができるようにする。この手法の例は、２０１４年６月５日に出願された同時係属出願ＥＰ１４１７１２８４．４［９］に記載されており、その全内容が参照により本明細書に組み込まれる。要約すると、この種の手法の例では、ワイヤレス通信システムにおける端末デバイスおよびネットワークインフラストラクチャ機器は、第１の周波数帯域内の無線リソース上のプライマリコンポーネントキャリアをサポートするプライマリセル、および第２の周波数帯域内の無線リソース上のセカンダリコンポーネントキャリアをサポートするセカンダリセル上で通信する。インフラストラクチャ機器は、第２の周波数帯域における無線の使用の測定値に基づいて、（例えば、周波数及び／又は時間リソースに関して）セカンダリキャリアのための複数の構成設定を確立する。構成設定（いくつかの点で、準静的なセカンダリセルの事前構成と見なされ得る）は、端末デバイスに伝達される。端末デバイスは、異なる構成設定に従ってセカンダリコンポーネントキャリアについてのチャネル品質測定を行い、これらをインフラストラクチャ機器に報告する。セカンダリキャリアの異なる構成についてのチャネル品質のこれらの測定値に基づいて、インフラストラクチャ機器は、構成設定のうちの１つを選択し、セカンダリコンポーネントキャリア上の送信リソースの割り当てに関連してこの表示を端末デバイスに伝達する。次いで、セカンダリコンポーネントキャリアが選択された構成に従って動作する状態で、セカンダリコンポーネントキャリア上の割り当てられたリソースを使用して、インフラストラクチャ機器から端末デバイスにデータが送信される。
【００８７】
したがって、いくつかの実装形態では、図５のステップＳ２およびＳ３に対応する処理ステップは、複数の潜在的な構成設定と関連付けられ得る。この場合、端末デバイスは、潜在的な構成設定のいずれかが、端末デバイスが他の通信のために使用する無線リソースとの重複下にあるかどうかを判定し、そうである場合、上記と同様の、しかし、重複が該当する潜在的な構成設定のいずれかをさらに示す競合報告を提供するように構成され得る。
【００８８】
以前に提案されたいくつかの手法によれば、免許不要の帯域内のセカンダリキャリアのための構成設定は、有効期間と関連付けられ得、有効期間が終了するまで有効と見なされ得る。この手法の例は、２０１４年６月５日に出願された同時係属出願ＥＰ１４１７１２８５．１［１０］に記載されており、その全内容が参照により本明細書に組み込まれる。要約すると、ワイヤレス通信システムにおける端末デバイスおよび基地局は、第１の周波数帯域内の無線リソース上で動作するプライマリコンポーネントキャリア、および第２の周波数帯域内の無線リソース上で動作するセカンダリコンポーネントキャリアを使用して互いに通信する。端末デバイスは、たとえば、ワイヤレス通信システムの一部ではなく、第２の周波数帯域内の無線リソースを使用することもできる他のデバイスによって、第２の周波数帯域における無線の使用の測定を行う。端末デバイスは、測定値の表示を基地局に送信し、これに基づいて、基地局は、例えば、セカンダリコンポーネントキャリアに使用する周波数リソースの観点から、セカンダリコンポーネントキャリアの構成設定を確立する。構成設定は、基地局がその構成設定に従って動作するプライマリコンポーネントキャリアおよびセカンダリコンポーネントキャリアを使用して端末デバイスにデータを通信する有効期間に関連する。有効期間が終了すると、端末デバイスは、再び無線の使用を測定し、報告するので、基地局は、有効期間の間の無線の使用の任意の変化を考慮したセカンダリコンポーネントキャリアについての更新された構成設定を決定することができる。この種の手法は、本開示のある実施形態に従って採用され得、それによって、重複の識別は、有効期間が短縮され／切り上げられることを想定するためのトリガを表す。より一般には、端末デバイスは、重複が識別されるキャリアの構成を解放することによって、重複の識別に応答し得る。上述の例では、基地局は、ワイヤレス通信システムで動作する端末デバイスから受信された報告から、ステップＳ１で第２の周波数帯域における無線の使用の測定を確立する。これに関して、また、端末デバイスがその環境（無線環境）における無線の使用について報告することに加えて、もしくはその代わりに、端末デバイスは、他の無線アクセス技術に従って通信するための第２の周波数帯域内の無線リソースのそれぞれの使用（または意図された使用）に関する情報を基地局に報告するように構成され得る。基地局は、次いで、例えば、異なる無線アクセス技術に従って通信するためにこれらの無線リソースを使用する必要性を示した端末デバイスが使用するための無線リソースを構成することを回避することによって、ステップＳ２に対応するステップで構成を確立するとき、これを考慮に入れ得る。
【００８９】
上述の実施形態は、プライマリコンポーネントキャリアとセカンダリコンポーネントキャリアの両方をサポートする単一の基地局に焦点を当てているが、より一般的には、これらを別個の基地局から送信することができることを理解されよう。これに関して、本開示の実施形態によるネットワーク側の処理は、手法が実施されるワイヤレス通信ネットワークの動作原理に従って、例えば、１つの基地局または２つ以上の基地局と、潜在的に他のネットワークインフラストラクチャ機器要素を含むネットワークインフラストラクチャ機器によって実行され得る。
【００９０】
上述の原理は、ワイヤレス通信システムがセカンダリ周波数帯域で動作するための管理ライセンスを必要とするかどうかにかかわらず、ワイヤレス通信システムが排他的な制御を有さない周波数帯域で動作するセカンダリコンポーネントキャリアを含むキャリアアグリゲーションをワイヤレス通信システムがサポートすることに関して適用され得ることを理解されよう。すなわち、「免許不要の」という用語は、本明細書では、便宜上、ワイヤレス通信システムが排他的アクセスを有さない帯域における動作を指すために使用されることを理解されよう。多くの実装形態では、これはライセンス免除の周波数帯域に対応する。しかし、他の実装形態では、動作は、厳密な管理上の意味では免許不要ではない、しかし、それにもかかわらず、異なるワイヤレスアクセス技術（例えば、ＬＴＥベース、Ｗｉ−Ｆｉベース、および／またはＢｌｕｅｔｏｏｔｈベースの技術）に従って動作するデバイス、および／または同じ技術に従って動作する複数のネットワーク（例えば、異なるネットワークオペレータによって提供されるＬＴＥベースのワイヤレス通信システム）による共有の／日和見的な使用のために利用可能である周波数帯域において適用され得る。これに関して、「免許不要の周波数帯域」のような用語は、一般に、リソースが異なるワイヤレス通信システムによって共有される周波数帯域を指すとみなされ得る。したがって、「免許不要の」という用語は、一般的に、これらのタイプの周波数帯域を指すために使用されるが、いくつかの展開シナリオでは、ワイヤレス通信システムのオペレータは、それにもかかわらず、これらの周波数帯域で動作するために管理ライセンスを保持する必要があり得る。本明細書に記載した種類の動作は、免許不要ではなく、ＬＡＡ（Licence  Assisted  Access）と呼ばれることがある。例えば、ＬＴＥ−Ｕの代わりにＬＴＥ−ＬＡＡという用語が使用され得る。この用語は、オペレータによる使用を排他的に許可されていない他の周波数におけるアクセスを支援するために、オペレータが使用を許可された周波数における通信を使用する際の動作の性質を反映する。したがって、第１の周波数帯域内の無線リソース上のプライマリコンポーネントキャリアをサポートするプライマリセル、および第２の周波数帯域内の無線リソース上のセカンダリコンポーネントキャリアをサポートするセカンダリセル上で第１の無線アクセス技術に従って通信する端末デバイスおよびネットワークインフラストラクチャ機器が記載されている。端末デバイスは、第２の無線アクセス技術、例えばＷｉ−Ｆｉに従って通信するために第２の周波数帯域内の無線リソースを使用するようにも動作可能である。ネットワークインフラストラクチャ機器は、第１の無線アクセス技術に従ってネットワークインフラストラクチャ機器と通信するために端末デバイスが使用するための第２の周波数帯域内の無線リソース（チャネル）の構成を確立し、この表示（すなわち、セカンダリコンポーネントキャリアについての構成）を端末デバイスに通信する。端末デバイスは、第２の無線アクセス技術に従って通信するための端末デバイスが使用するための無線リソース（チャネル）の構成を確立し、２つの異なる無線アクセス技��による使用のために構成された無線リソースに任意の重複があるかどうかを判定し、そうであれば、この表示をネットワークインフラストラクチャ機器に通信する。例えば、重複の表示は、第１の無線アクセス技術に従ってネットワークインフラストラクチャ機器と通信するために端末デバイスが使用するように構成された第２の周波数帯域内の無線リソースが、（少なくともしばらくの間、すなわち、重複状況が残っている間）端末デバイスによってサポートされていない構成を含むことの表示に対応する。それに応答して、ネットワークインフラストラクチャ機器は、第１の無線アクセス技術による端末デバイスとの通信のための無線リソースの置換構成を確立し、置換構成は、重複下にあると示される無線リソースを回避し、置換構成の表示を端末デバイスに送信する。
【００９１】
本発明のさらなる特定の好ましい態様は、添付の独立および従属請求項に記載されている。従属請求項の特徴は、請求項に明示的に記載されたもの以外の独立請求項の特徴と組み合わせられてもよいことを理解されよう。
【００９２】
したがって、上記の議論は、本発明の単なる例示的な実施形態を開示し、記載する。当業者であれば理解されるように、本発明は、その意図または本質的な特徴から逸脱することなく、他の特定の形態で具体化されてもよい。したがって、本発明の開示は、本発明および他の請求項の範囲の制限ではなく例示であるものとする。本開示は、本明細書の教示の任意の容易に識別可能な変形を含めて、一部分、発明の主題が一般のためのものではないように、前述の特許請求の範囲の用語を定義している。
【００９３】
本開示のそれぞれの特徴は、以下の番号付きのパラグラフによって定義される。
【００９４】
パラグラフ１  第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従ってネットワークインフラストラクチャ機器と通信するためにワイヤレス通信システムにおいて端末デバイスを動作させる方法であって、前記端末デバイスが、第２の無線アクセス技術に従って通信するために前記第２の周波数帯域内の無線リソースを使用するようにも動作可能であり、前記方法が、前記第１の無線アクセス技術に従って前記ネットワークインフラストラクチャ機器と通信するために前記端末デバイスが使用するための前記第２の周波数帯域内の無線リソースの構成の表示を前記ネットワークインフラストラクチャ機器から受信することと、前記第２の無線アクセス技術に従って通信するために前記端末デバイスが使用するための前記第２の周波数帯域内の無線リソースの構成を確立することと、前記第１の無線アクセス技術に従って通信するために前記端末デバイスが使用するように構成された前記無線リソースと、前記第２の無線アクセス技術に従って通信するために前記端末デバイスが使用するように構成された前記無線リソースとに重複があるかどうかを判定し、重複がある場合、重複があることを示すために、前記ネットワークインフラストラクチャ機器にシグナリングを送信することとを含む方法。
【００９５】
パラグラフ２  重複があることを示すために前記シグナリングを前記ネットワークインフラストラクチャ機器に送信することに応答して、前記第１の無線アクセス技術に従って前記ネットワークインフラストラクチャ機器と通信するために前記端末デバイスが使用するための前記第２の周波数帯域内の無線リソースの更新された構成の表示を前記ネットワークインフラストラクチャ機器から受信することをさらに含むパラグラフ１に記載の方法。
【００９６】
パラグラフ３  前記更新された構成に関連する前記無線リソースが、前記重複の前記表示が前記ネットワークインフラストラクチャ機器に送信されることに関する無線リソースを含むかどうかを判定し、そうである場合、前記更新された構成を無効な構成またはサポートされていない構成として分類することをさらに含むパラグラフ２に記載の方法。
【００９７】
パラグラフ４  前記更新された構成に関連する前記無線リソースが、前記重複の前記表示が前記ネットワークインフラストラクチャ機器に送信されることに関する無線リソースを含むかどうかを判定し、そうである場合、前記セカンダリコンポーネントキャリアに関して無線リソース制御、ＲＲＣ、アイドルモードに戻ることをさらに含むパラグラフ２または３に記載の方法。
【００９８】
パラグラフ５  前記第１の無線アクセス技術に従って前記ネットワークインフラストラクチャ機器と通信するために前記端末デバイスが使用するための前記第２の周波数帯域内の無線リソースの前記構成がもはや無効であることの表示を前記ネットワークインフラストラクチャ機器から受信することをさらに含むパラグラフ１から４のいずれかに記載の方法。
【００９９】
パラグラフ６  重複があることを示すための前記ネットワークインフラストラクチャ機器への前記シグナリングが、前記重複が該当することに関する前記無線リソースの表示に関連する、パラグラフ１から５のいずれかに記載の方法。
【０１００】
パラグラフ７  前記端末デバイスが、前記第１の無線アクセス技術とは異なるいくつかの異なる無線アクセス技術に従って通信するために前記第２の周波数帯域内の無線リソースを使用するように動作可能であり、重複があることを示すための前記ネットワークインフラストラクチャ機器への前記シグナリングが、前記重複が決定されたことに関する前記第２の無線アクセス技術の表示をさらに含む、パラグラフ１から６のいずれかに記載の方法。
【０１０１】
パラグラフ８  重複があることを示すための前記ネットワークインフラストラクチャ機器に送信された前記シグナリングが、無線リソース制御、ＲＲＣ、シグナリングを含む、パラグラフ１から７のいずれかに記載の方法。
【０１０２】
パラグラフ９  前記端末デバイスが、あらかじめ定義されたフォーマットを有する周波数間デバイス内共存、ＩＤＣ、メッセージを使用して前記端末デバイスによってサポートされる異なる無線アクセス技術に関連する異なる周波数間で生じる周波数間干渉の可能性を示すために、前記ネットワークインフラストラクチャ機器にシグナリングを送信するように動作可能であり、重複があることを示すために前記ネットワークインフラストラクチャ機器に送信された前記シグナリングが、周波数間デバイス内共存、ＩＤＣ、メッセージフォーマットに準拠する、パラグラフ１から８のいずれかに記載の方法。
【０１０３】
パラグラフ１０  重複が存在することを示すために前記ネットワークインフラストラクチャ機器に送信された前記シグナリングが、前記メッセージ内で識別される無線リソースに関して重複があるかどうかを示すための値に選択的に設定された情報要素を含む、あらかじめ定義された周波数間デバイス内共存、ＩＤＣ、メッセージフォーマットに準拠するメッセージを含む、パラグラフ９に記載の方法。
【０１０４】
パラグラフ１１  前記情報要素が、前記メッセージ内で識別される無線リソースに関して重複があるかどうかを示すためのものである、パラグラフ１０に記載の方法。
【０１０５】
パラグラフ１２  前記情報要素が、前記端末デバイスによってサポートされる異なる無線アクセス技術に関連する異なる周波数間で生じる潜在的な周波数間干渉の態様を示すことに関連し、重複の場合、前記情報要素が潜在的な周波数間干渉の態様を示すために使用されるときに使用される前記値とは異なる値に設定される、パラグラフ１０に記載の方法。
【０１０６】
パラグラフ１３  あらかじめ定義された周波数間ＩＤＣメッセージフォーマットによる、前記情報要素が関連する潜在的な周波数間干渉の前記態様が、前記異なる無線アクセス技術間の干渉の方向の表示である、パラグラフ１２に記載の方法。
【０１０７】
パラグラフ１４  重複があることを示すための前記ネットワークインフラストラクチャ機器に送信された前記シグナリングが、前記第１の無線アクセス技術に従って通信するために前記端末デバイスが使用するように構成された前記無線リソースに関するチャネル品質インジケータ、ＣＱＩ、メッセージを含み、前記ＣＱＩメッセージの所定の値が、前記ＣＱＩメッセージが該当する前記無線リソースに関して重複があることを示すように選択される、パラグラフ１から１３のいずれかに記載の方法。
【０１０８】
パラグラフ１５  前記端末デバイスが、第１の無線アクセス技術による前記ネットワークインフラストラクチャ機器との通信のための無線リソースの前記構成の前記表示を前記ネットワークインフラストラクチャ機器から受信することに応答して開始される監視スケジュールに従って、前記異なる構成による無線リソースに重複があるかどうかを判定する、パラグラフ１から１４のいずれかに記載の方法。
【０１０９】
パラグラフ１６  前記第１の無線アクセス技術に従って前記ネットワークインフラストラクチャ機器と通信するために前記端末デバイスが使用するための前記第２の周波数帯域内の無線リソースの少なくとも１つのさらなる構成の少なくとも１つのさらなる表示を前記ネットワークインフラストラクチャ機器から受信することと、前記少なくとも１つのさらなる構成に関連する前記無線リソースと、前記第２の無線アクセス技術に従って通信するために前記端末デバイスが使用するように構成された前記無線リソースとに重複があるかどうかを判定することとをさらに含み、重複が存在することを示すために前記ネットワークインフラストラクチャ機器に送信された前記シグナリングが、前記重複が該当する、前記第１の無線アクセス技術による前記第２の周波数帯域内の通信のための無線リソースの前記構成をさらに示す、パラグラフ１から１５のいずれかに記載の方法。
【０１１０】
パラグラフ１７  前記端末デバイスが、前記第１の無線アクセス技術に従って通信するために前記端末デバイスが使用するように構成された前記無線リソースと、前記第２の無線アクセス技術に従って通信するために前記端末デバイスが使用するように構成された前記無線リソースとに重複があると判定したことに応答して、前記第１の無線アクセス技術に従って前記ネットワークインフラストラクチャ機器と通信するために前記端末デバイスが使用するための前記第２の周波数帯域内の無線リソースの前記構成を解放することをさらに含む、パラグラフ１から１６のいずれかに記載の方法。
【０１１１】
パラグラフ１８  前記第２の周波数帯域が、前記ワイヤレス通信システムの一部ではないワイヤレス通信デバイスと共有される無線リソースを含む、パラグラフ１から１７のいずれかに記載の方法。
【０１１２】
パラグラフ１９  前記第２の無線アクセス技術が、非セルラー通信無線アクセス技術である、パラグラフ１から１８のいずれかに記載の方法。
【０１１３】
パラグラフ２０  前記第２の無線アクセス技術が、ワイヤレスローカルエリアネットワーク、ＷＬＡＮ、無線アクセス技術、Ｂｌｕｅｔｏｏｔｈ無線アクセス技術、およびグローバルナビゲーション衛星システム、ＧＮＳＳ、無線アクセス技術を含むグループから選択される、パラグラフ１から１９のいずれかに記載の方法。
【０１１４】
パラグラフ２１  第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従ってネットワークインフラストラクチャ機器と通信するためにワイヤレス通信システムにおいて使用するための端末デバイスであって、前記端末デバイスが、第２の無線アクセス技術に従って通信するために前記第２の周波数帯域内の無線リソースを使用するようにさらに動作可能であり、前記端末デバイスが、前記第１の無線アクセス技術に従って前記ネットワークインフラストラクチャ機器と通信するために前記端末デバイスが使用するための前記第２の周波数帯域内の無線リソースの構成の表示を前記ネットワークインフラストラクチャ機器から受信し、前記第２の無線アクセス技術に従って通信するために前記端末デバイスが使用するための前記第２の周波数帯域内の無線リソースの構成を確立し、前記第１の無線アクセス技術に従って通信するために前記端末デバイスが使用するように構成された前記無線リソースと、前記第２の無線アクセス技術に従って通信するために前記端末デバイスが使用するように構成された前記無線リソースとに重複があるかどうかを判定し、重複がある場合、重複があることを示すために、前記ネットワークインフラストラクチャ機器にシグナリングを送信するために一緒に動作するように構成されたコントローラユニットとトランシーバユニットとを備える、端末デバイス。
【０１１５】
パラグラフ２２  第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従ってネットワークインフラストラクチャ機器と通信するためのワイヤレス通信システムにおける端末デバイスのための回路であって、前記端末デバイスが、第２の無線アクセス技術に従って通信するために前記第２の周波数帯域内の無線リソースを使用するようにさらに動作可能であり、前記回路が、前記第１の無線アクセス技術に従って前記ネットワークインフラストラクチャ機器と通信するために前記端末デバイスが使用するための前記第２の周波数帯域内の無線リソースの構成の表示を前記ネットワークインフラストラクチャ機器から受信し、前記第２の無線アクセス技術に従って通信するために前記端末デバイスが使用するための前記第２の周波数帯域内の無線リソースの構成を確立し、前記第１の無線アクセス技術に従って通信するために前記端末デバイスが使用するように構成された前記無線リソースと、前記第２の無線アクセス技術に従って通信するために前記端末デバイスが使用するように構成された前記無線リソースとに重複があるかどうかを判定し、重複がある場合、重複があることを示すために、前記ネットワークインフラストラクチャ機器にシグナリングを送信するために一緒に動作するように構成されたコントローラ要素とトランシーバ要素とを備える、回路。
【０１１６】
パラグラフ２３  第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従って端末デバイスと通信するためにワイヤレス通信システムにおいてネットワークインフラストラクチャ機器を動作させる方法であって、前記端末デバイスが、第２の無線アクセス技術に従って通信するために前記第２の周波数帯域内の無線リソースを使用するようにさらに動作可能であり、前記方法が、前記第１の無線アクセス技術に従って前記ネットワークインフラストラクチャ機器と通信するために前記端末デバイスが使用するための前記第２の周波数帯域内の無線リソースの構成を確立することと、前記第１の無線アクセス技術に従って前記ネットワークインフラストラクチャ機器と通信するために前記端末デバイスが使用するための前記第２の周波数帯域内の無線リソースの前記構成の表示を前記端末デバイスに送信することと、前記第１の無線アクセス技術に従って通信するために前記端末デバイスが使用するように構成された前記無線リソースと、前記第２の無線アクセス技術に従って通信するために前記端末デバイスが使用するために必要とされる、前記端末デバイスが確立した無線リソースとの重複の表示を前記端末デバイスから受信することと、前記第１の無線アクセス技術に従って前記ネットワークインフラストラクチャ機器と通信するために前記端末デバイスが使用するための前記第２の周波数帯域内の無線リソースの置換構成を確立することであって、前記置換構成が、前記重複が示されることに関する無線リソースを回避するために選択されることと、前記第１の無線アクセス技術に従って前記ネットワークインフラストラクチャ機器と通信するために前記端末デバイスが使用するための前記第２の周波数帯域内の無線リソースの前記置換構成の表示を前記端末デバイスに送信することとを含む方法。
【０１１７】
パラグラフ２４  第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従って端末デバイスと通信するためにワイヤレス通信システムにおいて使用するためのネットワークインフラストラクチャ機器であって、前記端末デバイスが、第２の無線アクセス技術に従って通信するために前記第２の周波数帯域内の無線リソースを使用するようにさらに動作可能であり、前記ネットワークインフラストラクチャ機器が、前記第１の無線アクセス技術に従って前記ネットワークインフラストラクチャ機器と通信するために前記端末デバイスが使用するための前記第２の周波数帯域内の無線リソースの構成を確立し、前記第１の無線アクセス技術に従って前記ネットワークインフラストラクチャ機器と通信するために前記端末デバイスが使用するための前記第２の周波数帯域内の無線リソースの前記構成の表示を前記端末デバイスに送信し、前記第１の無線アクセス技術に従って通信するために前記端末デバイスが使用するように構成された前記無線リソースと、前記第２の無線アクセス技術に従って通信するために前記端末デバイスが使用するために必要とされる、前記端末デバイスが確立した無線リソースとの重複の表示を前記端末デバイスから受信し、前記第１の無線アクセス技術に従って前記ネットワークインフラストラクチャ機器と通信するために前記端末デバイスが使用するために前記第２の周波数帯域内の無線リソースの置換構成を確立し、前記置換構成が、前記重複が示されることに関する無線リソースを回避するために選択され、前記第１の無線アクセス技術に従って前記ネットワークインフラストラクチャ機器と通信するために前記端末デバイスが使用するための前記第２の周波数帯域内の無線リソースの前記置換構成の表示を前記端末デバイスに送信するために一緒に動作するように構成されたコントローラユニットとトランシーバユニットとを備える、ネットワークインフラストラクチャ機器。
【０１１８】
パラグラフ２５  第１の周波数帯域内の無線リソース上のプライマリコンポーネントキャリアをサポートするプライマリセル、および第２の周波数帯域内の無線リソース上のセカンダリコンポーネントキャリアをサポートするセカンダリセルにおいて第１の無線アクセス技術に従って端末デバイスと通信するためにワイヤレス通信システムにおいて使用するためのネットワークインフラストラクチャ機器のための回路であって、前記端末デバイスが、第２の無線アクセス技術に従って通信するために前記第２の周波数帯域内の無線リソースを使用するようにさらに動作可能であり、前記回路が、前記第１の無線アクセス技術に従って前記ネットワークインフラストラクチャ機器と通信するために前記端末デバイスが使用するための前記第２の周波数帯域内の無線リソースの構成を確立し、前記第１の無線アクセス技術に従って前記ネットワークインフラストラクチャ機器と通信するために前記端末デバイスが使用するための前記第２の周波数帯域内の無線リソースの前記構成の表示を前記端末デバイスに送信し、前記第１の無線アクセス技術に従って通信するために前記端末デバイスが使用するように構成された前記無線リソースと、前記第２の無線アクセス技術に従って通信するために前記端末デバイスが使用するために必要とされる、前記端末デバイスが確立した無線リソースとの重複の表示を前記端末デバイスから受信し、前記第１の無線アクセス技術に従って前記ネットワークインフラストラクチャ機器と通信するために前記端末デバイスが使用するために前記第２の周波数帯域内の無線リソースの置換構成を確立し、前記置換構成が、前記重複が示されることに関する無線リソースを回避するために選択され、前記第１の無線アクセス技術に従って前記ネットワークインフラストラクチャ機器と通信するために前記端末デバイスが使用するための前記第２の周波数帯域内の無線リソースの前記置換構成の表示を前記端末デバイスに送信するために一緒に動作するように構成されたコントローラ要素とトランシーバ要素とを備える、回路。
【図１】
0006578354.tif 000002
【図２】
0006578354.tif 000003
【図３】
0006578354.tif 000004
【図４】
0006578354.tif 000005
【図５】
0006578354.tif 000006